(57)【要約】  無線通信システムにおける下りリンク制御情報（Ｄｏｗｎｌｉｎｋ  Ｃｏｎｔｒｏｌ  Ｉｎｆｏｒｍａｔｉｏｎ：ＤＣＩ）送信方法及び上記方法を利用する装置を提供する。上記方法は、第１のＤＣＩフォーマット（ｆｏｒｍａｔ）のサイズを決定し、前記第１のＤＣＩフォーマットのサイズと同一に第２のＤＣＩフォーマットのサイズを合わせ、前記第１のＤＣＩフォーマットと前記第２のＤＣＩフォーマットとは、同じサービングセルに対するものであるか否かと関係なく、同じ検索空間を共有するＤＣＩフォーマットであることを特徴とする。【選択図】図１１
2019534596.tif 000002
【特許請求の範囲】
【請求項１】
無線通信システムにおける下りリンク制御情報（Ｄｏｗｎｌｉｎｋ  Ｃｏｎｔｒｏｌ  Ｉｎｆｏｒｍａｔｉｏｎ：ＤＣＩ）送信方法において、
第１のＤＣＩフォーマット（ｆｏｒｍａｔ）のサイズを決定し、
前記第１のＤＣＩフォーマットのサイズと同一に第２のＤＣＩフォーマットのサイズを合わせ、
前記第１のＤＣＩフォーマットと前記第２のＤＣＩフォーマットとは、同じサービングセルに対するものであるか否かと関係なく、同じ検索空間を共有するＤＣＩフォーマットであることを特徴とする方法。
【請求項２】
前記第１のＤＣＩフォーマットは、サイドリンクの半静的スケジューリングに使用されるＤＣＩフォーマットであり、前記第２のＤＣＩフォーマットは、サイドリンクの動的スケジューリングに使用されるＤＣＩフォーマットであることを特徴とする請求項１に記載の方法。
【請求項３】
前記検索空間では、ＤＣＩフォーマット０が送信されないことを特徴とする請求項２に記載の方法。
【請求項４】
前記第１のＤＣＩフォーマットは、物理上りリンク共有チャネル（ｐｈｙｓｉｃａｌ  ｕｐｌｉｎｋ  ｓｈａｒｅｄ  ｃｈａｎｎｅｌ：ＰＵＳＣＨ）のスケジューリングに使用されるＤＣＩフォーマット０であることを特徴とする請求項１に記載の方法。
【請求項５】
前記第２のＤＣＩフォーマットは、物理サイドリンク制御チャネル（ｐｈｙｓｉｃａｌ  ｓｉｄｅｌｉｎｋ  ｃｏｎｔｒｏｌ  ｃｈａｎｎｅｌ：ＰＳＣＣＨ）のスケジューリングに使用されるＤＣＩフォーマット５Ａであることを特徴とする請求項４に記載の方法。
【請求項６】
前記第１のＤＣＩフォーマットと前記第２のＤＣＩフォーマットとは、互いに異なるサービングセル（ｓｅｒｖｉｎｇ  ｃｅｌｌ）の物理チャネルをスケジューリングするＤＣＩフォーマットであることを特徴とする請求項５に記載の方法。
【請求項７】
前記第１のＤＣＩフォーマットと前記第２のＤＣＩフォーマットとは、同じ搬送波指示フィールド（ｃａｒｒｉｅｒ  ｉｎｄｉｃａｔｉｏｎ  ｆｉｅｌｄ：ＣＩＦ）値を有することにより、同じ検索空間を共有することを特徴とする請求項５に記載の方法。
【請求項８】
前記第２のＤＣＩフォーマットがＤＣＩフォーマット５Ａである場合、前記ＤＣＩフォーマット５Ａのペイロード（ｐａｙｌｏａｄ）サイズは、端末に設定されたサブチャネル（ｓｕｂ−ｃｈａｎｎｅｌ）の個数によって変わることを特徴とする請求項１に記載の方法。
【請求項９】
前記サブチャネルは、隣接した複数の資源ブロック（ｒｅｓｏｕｒｃｅ  ｂｌｏｃｋ：ＲＢ）で構成されることを特徴とする請求項８に記載の方法。
【請求項１０】
前記第１のＤＣＩフォーマットがＤＣＩフォーマット０であり、前記第２のＤＣＩフォーマットがＤＣＩフォーマット５Ａである場合、前記ＤＣＩフォーマット０のサイズより大きいサイズを有する前記ＤＣＩフォーマット５Ａは、前記検索空間で送信されないことを特徴とする請求項１に記載の方法。
【請求項１１】
無線通信システムにおいて下りリンク制御情報（Ｄｏｗｎｌｉｎｋ  Ｃｏｎｔｒｏｌ  Ｉｎｆｏｒｍａｔｉｏｎ：ＤＣＩ）を送信する装置において、
無線信号を送信及び受信するＲＦ（Ｒａｄｉｏ  Ｆｒｅｑｕｅｎｃｙ）部と、
前記ＲＦ部と結合して動作するプロセッサと、
を備え、
前記プロセッサは、
第１のＤＣＩフォーマット（ｆｏｒｍａｔ）のサイズを決定し、
前記第１のＤＣＩフォーマットのサイズと同一に第２のＤＣＩフォーマットのサイズを合わせ、
前記第１のＤＣＩフォーマットと前記第２のＤＣＩフォーマットとは、同じサービングセルに対するものであるか否かと関係なく、同じ検索空間を共有するＤＣＩフォーマットであることを特徴とする装置。
【発明の詳細な説明】
【技術分野】
【０００１】
本発明は、無線通信に関し、より詳細には、無線通信システムにおいて下りリンク制御情報を送信する方法及び上記方法を利用する装置に関する。
【背景技術】
【０００２】
ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏ  ｃｏｍｍｕｎｉｃａｔｉｏｎ  ｓｅｃｔｏｒ）では、第３世代以後の次世代移動通信システムであるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−Ａｄｖａｎｃｅｄの標準化作業を進行している。ＩＭＴ−Ａｄｖａｎｃｅｄは、停止及び低速移動状態で１Ｇｂｐｓ、高速移動状態で１００Ｍｂｐｓのデータ送信率でＩＰ（Ｉｎｔｅｒｎｅｔ  Ｐｒｏｔｏｃｏｌ）ベースのマルチメディアサービスのサポートを目標とする。
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）は、ＩＭＴ−Ａｄｖａｎｃｅｄの要求事項を充足させるシステム標準としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）／ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）送信方式基盤であるＬＴＥ（Ｌｏｎｇ  Ｔｅｒｍ  Ｅｖｏｌｕｔｉｏｎ）を改善したＬＴＥ−Ａｄｖａｎｃｅｄ（ＬＴＥ−Ａ）をＩＴＵ−Ｒに提出し、第４世帯移動通信標準と承認された。
【０００４】
３ＧＰＰでは、ＬＴＥのＲｅｌｅａｓｅ  １４バージョンのための研究課題（ＳＩ）のうちの１つとして、Ｖ２Ｘに関する研究を進めている。Ｖ２Ｘは、車両と任意の物との間の通信を意味し、Ｖ２Ｖ、すなわち、車両と車両との間の通信も含む。
【０００５】
Ｖ２Ｖ通信を行う様々な方式の中で、基地局がＶ２Ｖ通信のための資源をスケジューリングする方式がある。このような方式が使用される場合、基地局は、端末にＶ２Ｖ通信のための新しいタイプの下りリンク制御情報を送信するようになる。
【０００６】
複雑度を大きく増加させずに、端末のブラインドデコード回数増加も最小化できる、Ｖ２Ｖ通信のための下りリンク制御情報の構成方法が必要である。
【発明の概要】
【発明が解決しようとする課題】
【０００７】
本発明が解決しようとする技術的課題は、無線通信システムにおける下りリンク制御情報送信方法及び上記方法を利用する装置を提供することである。
【課題を解決するための手段】
【０００８】
一側面において、無線通信システムにおける下りリンク制御情報（Ｄｏｗｎｌｉｎｋ  Ｃｏｎｔｒｏｌ  Ｉｎｆｏｒｍａｔｉｏｎ：ＤＣＩ）送信方法を提供する。前記方法は、第１のＤＣＩフォーマット（ｆｏｒｍａｔ）のサイズを決定し、前記第１のＤＣＩフォーマットのサイズと同一に第２のＤＣＩフォーマットのサイズを合わせ、前記第１のＤＣＩフォーマットと前記第２のＤＣＩフォーマットとは、同じサービングセルに対するものであるか否かと関係なく、同じ検索空間を共有するＤＣＩフォーマットであることを特徴とする。
【０００９】
前記第１のＤＣＩフォーマットは、サイドリンクの半静的スケジューリングに使用されるＤＣＩフォーマットであり、前記第２のＤＣＩフォーマットは、サイドリンクの動的スケジューリングに使用されるＤＣＩフォーマットでありうる。このときの前記検索空間では、ＤＣＩフォーマット０が送信されないことがある。
【００１０】
前記第１のＤＣＩフォーマットは、物理上りリンク共有チャネル（ｐｈｙｓｉｃａｌ  ｕｐｌｉｎｋ  ｓｈａｒｅｄ  ｃｈａｎｎｅｌ：ＰＵＳＣＨ）のスケジューリングに使用されるＤＣＩフォーマット０でありうる。
【００１１】
前記第２のＤＣＩフォーマットは、物理サイドリンク制御チャネル（ｐｈｙｓｉｃａｌ  ｓｉｄｅｌｉｎｋ  ｃｏｎｔｒｏｌ  ｃｈａｎｎｅｌ：ＰＳＣＣＨ）のスケジューリングに使用されるＤＣＩフォーマット５Ａでありうる。
【００１２】
前記第１のＤＣＩフォーマットと前記第２のＤＣＩフォーマットとは、互いに異なるサービングセル（ｓｅｒｖｉｎｇ  ｃｅｌｌ）の物理チャネルをスケジューリングするＤＣＩフォーマットでありうる。
【００１３】
前記第１のＤＣＩフォーマットと前記第２のＤＣＩフォーマットとは、同じ搬送波指示フィールド（ｃａｒｒｉｅｒ  ｉｎｄｉｃａｔｉｏｎ  ｆｉｅｌｄ：ＣＩＦ）値を有することにより、同じ検索空間を共有できる。
【００１４】
前記第２のＤＣＩフォーマットがＤＣＩフォーマット５Ａである場合、前記ＤＣＩフォーマット５Ａのペイロード（ｐａｙｌｏａｄ）サイズは、端末に設定されたサブチャネル（ｓｕｂ−ｃｈａｎｎｅｌ）の個数によって変わることができる。
【００１５】
前記サブチャネルは、隣接した複数の資源ブロック（ｒｅｓｏｕｒｃｅ  ｂｌｏｃｋ：ＲＢ）で構成されることができる。
【００１６】
前記第１のＤＣＩフォーマットがＤＣＩフォーマット０であり、前記第２のＤＣＩフォーマットがＤＣＩフォーマット５Ａである場合、前記ＤＣＩフォーマット０のサイズより大きいサイズを有する前記ＤＣＩフォーマット５Ａは、前記検索空間で送信されないことがある。
【００１７】
他の側面において提供される、無線通信システムにおいて下りリンク制御情報（Ｄｏｗｎｌｉｎｋ  Ｃｏｎｔｒｏｌ  Ｉｎｆｏｒｍａｔｉｏｎ：ＤＣＩ）を送信する装置は、無線信号を送信及び受信するＲＦ（Ｒａｄｉｏ  Ｆｒｅｑｕｅｎｃｙ）部及び前記ＲＦ部と結合して動作するプロセッサを備え、前記プロセッサは、第１のＤＣＩフォーマット（ｆｏｒｍａｔ）のサイズを決定し、前記第１のＤＣＩフォーマットのサイズと同一に第２のＤＣＩフォーマットのサイズを合わせ、前記第１のＤＣＩフォーマットと前記第２のＤＣＩフォーマットとは、同じサービングセルに対するものであるか否かと関係なく、同じ検索空間を共有するＤＣＩフォーマットであることを特徴とする。
【発明の効果】
【００１８】
Ｖ２Ｘ通信スケジュールのための下りリンク制御情報を構成するにあたって、Ｖ２Ｘ通信関連の端末実現複雑度を大きく増加させないことができる。例えば、Ｖ２Ｘ通信関連の下りリンク制御情報検出のための端末ブラインドデコード回数増加を最小化または防止できる。
【図面の簡単な説明】
【００１９】
【図１】図１は、無線通信システムを示す。
【図２】図２は、ユーザプレーン（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【図３】図３は、制御プレーン（ｃｏｎｔｒｏｌ  ｐｌａｎｅ）に対する無線プロトコル構造を示すブロック図である。
【図４】図４は、ＰｒｏＳｅのための基準構造を示す。
【図５】図５は、Ｄ２Ｄの動作を実行する端末とセルカバレッジの配置例を示す。
【図６】図６は、Ｖ２Ｖ通信の実行シナリオを例示する。
【図７】図７は、端末等と基地局との間でＶ２Ｖ通信のためのシグナリング過程を例示する。
【図８】図８は、端末間でＶ２Ｖ通信のためのシグナリング過程を例示する。
【図９】図９は、提案方法＃１によるＤＣＩフォーマット５Ａのペイロードサイズ決定方法を示す。
【図１０】図１０は、従来技術によるＤＣＩフォーマット１Ａのサイズ合わせ方式を示す。
【図１１】図１１は、提案方法＃３によるＤＣＩフォーマット５Ａのサイズ合わせ方式を概念的に示したものである。
【図１２】図１２は、一般化された、提案方法＃３によるＤＣＩフォーマットのサイズ合わせ方式を例示する。
【図１３】図１３は、図１２の具体的な適用例である。
【図１４】図１４は、検索空間で端末の動作方法を例示する。
【図１５】図１５は、例示＃４−４によるＤＣＩサイズ合わせ方法を例示する。
【図１６】図１６は、サイドリンク交差搬送波スケジューリングタイミングを例示する。
【図１７】図１７は、本発明の実施形態が実現される装置を示したブロック図である。
【発明を実施するための形態】
【００２０】
図１は、無線通信システムを示す。
【００２１】
無線通信システムは、例えば、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムという。
【００２２】
Ｅ−ＵＴＲＡＮは、端末（Ｕｓｅｒ  Ｅｑｕｉｐｍｅｎｔ、ＵＥ）１０に制御プレーン（ｃｏｎｔｒｏｌ  ｐｌａｎｅ）とユーザプレーン（ｕｓｅｒ  ｐｌａｎｅ）を提供する基地局（Ｂａｓｅ  Ｓｔａｔｉｏｎ、ＢＳ）２０を含む。端末１０は、固定されてもよいし、移動性を有してもよく、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２３】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）と連結され、Ｓ１−Ｕを介してＳ−ＧＷ（Ｓｅｒｖｉｎｇ  Ｇａｔｅｗａｙ）と連結される。
【００２４】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に対する情報を有しており、このような情報は、端末の移動性管理に主に使われる。Ｓ−ＧＷは、Ｅ−ＵＴＲＡＮを終端点として有するゲートウェイであり、Ｐ−ＧＷは、ＰＤＮを終端点として有するゲートウェイである。
【００２５】
端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３層に基づいてＬ１（第１層）、Ｌ２（第２層）、Ｌ３（第３層）に区分されることができ、そのうち、第１層に属する物理層は、物理チャネル（Ｐｈｙｓｉｃａｌ  Ｃｈａｎｎｅｌ）を利用した情報転送サービス（Ｉｎｆｏｒｍａｔｉｏｎ  Ｔｒａｎｓｆｅｒ  Ｓｅｒｖｉｃｅ）を提供し、第３層に位置するＲＲＣ（Ｒａｄｉｏ  Ｒｅｓｏｕｒｃｅ  Ｃｏｎｔｒｏｌ）層は、端末とネットワークとの間に無線リソースを制御する役割を遂行する。そのために、ＲＲＣ層は、端末と基地局との間のＲＲＣメッセージを交換する。
【００２６】
図２は、ユーザプレーン（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図３は、制御プレーン（ｃｏｎｔｒｏｌ  ｐｌａｎｅ）に対する無線プロトコル構造を示すブロック図である。ユーザプレーンは、ユーザデータ送信のためのプロトコルスタック（ｐｒｏｔｏｃｏｌ ｓｔａｃｋ）であり、制御プレーンは、制御信号送信のためのプロトコルスタックである。
【００２７】
図２及び図３を参照すると、物理層（ＰＨＹ（ｐｈｙｓｉｃａｌ）  ｌａｙｅｒ）は、物理チャネル（ｐｈｙｓｉｃａｌ  ｃｈａｎｎｅｌ）を利用して上位層に情報転送サービス（ｉｎｆｏｒｍａｔｉｏｎ  ｔｒａｎｓｆｅｒ  ｓｅｒｖｉｃｅ）を提供する。物理層は、上位層であるＭＡＣ（Ｍｅｄｉｕｍ  Ａｃｃｅｓｓ  Ｃｏｎｔｒｏｌ）層とはトランスポートチャネル（ｔｒａｎｓｐｏｒｔ  ｃｈａｎｎｅｌ）を介して連結されている。トランスポートチャネルを介してＭＡＣ層と物理層との間にデータが移動する。トランスポートチャネルは、無線インターフェースを介して、データが、どのように、どのような特徴にトランスポートされるかによって分類される。
【００２８】
互いに異なる物理層間、即ち、送信機と受信機の物理層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００２９】
ＭＡＣ層の機能は、論理チャネルとトランスポートチャネルとの間のマッピング、及び論理チャネルに属するＭＡＣ  ＳＤＵ（ｓｅｒｖｉｃｅ  ｄａｔａ  ｕｎｉｔ）のトランスポートチャネル上に物理チャネルで提供されるトランスポートブロック（ｔｒａｎｓｐｏｒｔ  ｂｌｏｃｋ）への多重化／逆多重化を含む。ＭＡＣ層は、論理チャネルを介してＲＬＣ（Ｒａｄｉｏ  Ｌｉｎｋ  Ｃｏｎｔｒｏｌ）層にサービスを提供する。
【００３０】
ＲＬＣ層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保証するために、ＲＬＣ層は、透過モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の三つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。 
【００３１】
ＲＲＣ（Ｒａｄｉｏ  Ｒｅｓｏｕｒｃｅ  Ｃｏｎｔｒｏｌ）層は、制御プレーンでのみ定義される。ＲＲＣ層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。ＲＢは、端末とネットワークとの間のデータ伝達のために、第１層（ＰＨＹ層）及び第２層（ＭＡＣ層、ＲＬＣ層、ＰＤＣＰ層）により提供される論理的経路を意味する。
【００３２】
ユーザプレーンでのＰＤＣＰ（Ｐａｃｋｅｔ  Ｄａｔａ  Ｃｏｎｖｅｒｇｅｎｃｅ  Ｐｒｏｔｏｃｏｌ）層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御プレーンでのＰＤＣＰ（Ｐａｃｋｅｔ  Ｄａｔａ  Ｃｏｎｖｅｒｇｅｎｃｅ  Ｐｒｏｔｏｃｏｌ）層の機能は、制御プレーンデータの伝達及び暗号化／完全性保護（ｉｎｔｅｇｒｉｔｙ  ｐｒｏｔｅｃｔｉｏｎ）を含む。
【００３３】
ＲＢが設定されるとは、特定サービスを提供するために、無線プロトコル層及びチャネルの特性を規定し、それぞれの具体的なパラメータ及び動作方法を設定する過程を意味する。また、ＲＢは、ＳＲＢ（Ｓｉｇｎａｌｉｎｇ  ＲＢ）とＤＲＢ（Ｄａｔａ  ＲＢ）の二つに分けられる。ＳＲＢは、制御プレーンでＲＲＣメッセージを送信する通路として使われ、ＤＲＢは、ユーザプレーンでユーザデータを送信する通路として使われる。
【００３４】
端末のＲＲＣ層とＥ−ＵＴＲＡＮのＲＲＣ層との間にＲＲＣ接続（ＲＲＣ  Ｃｏｎｎｅｃｔｉｏｎ）が確立される場合、端末は、ＲＲＣ接続（ＲＲＣ  ｃｏｎｎｅｃｔｅｄ）状態になり、そうでない場合、ＲＲＣアイドル（ＲＲＣ  ｉｄｌｅ）状態になる。
【００３５】
ネットワークから端末にデータを送信するダウンリンクトランスポートチャネルには、システム情報を送信するＢＣＨ（Ｂｒｏａｄｃａｓｔ  Ｃｈａｎｎｅｌ）と、ユーザトラフィックや制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または別途のダウンリンクＭＣＨ（Ｍｕｌｔｉｃａｓｔ  Ｃｈａｎｎｅｌ）を介して送信されることもできる。一方、端末からネットワークにデータを送信するアップリンクトランスポートチャネルとしては、初期制御メッセージを送信するＲＡＣＨ（Ｒａｎｄｏｍ  Ａｃｃｅｓｓ  Ｃｈａｎｎｅｌ）と、ユーザトラフィックや制御メッセージを送信するアップリンクＳＣＨ（Ｓｈａｒｅｄ  Ｃｈａｎｎｅｌ）がある。
【００３６】
トランスポートチャネル上位にあり、トランスポートチャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３７】
物理チャネル（Ｐｈｙｓｉｃａｌ  Ｃｈａｎｎｅｌ）は、時間領域で複数個のＯＦＤＭシンボルと周波数領域で複数個の副搬送波（Ｓｕｂ−ｃａｒｒｉｅｒ）とで構成される。一つのサブフレーム（Ｓｕｂ−ｆｒａｍｅ）は、時間領域で複数のＯＦＤＭシンボル（Ｓｙｍｂｏｌ）で構成される。リソースブロックは、リソース割当単位であり、複数のＯＦＤＭシンボルと複数の副搬送波（ｓｕｂ−ｃａｒｒｉｅｒ）とで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、即ち、Ｌ１／Ｌ２制御チャネルのために、該当サブフレームの特定ＯＦＤＭシンボル（例えば、１番目のＯＦＤＭシンボル）の特定副搬送波を利用することができる。ＴＴＩ（Ｔｒａｎｓｍｉｓｓｉｏｎ  Ｔｉｍｅ  Ｉｎｔｅｒｖａｌ）は、サブフレーム送信の単位時間である。
【００３８】
ＲＲＣ状態とは、端末のＲＲＣ層がＥ−ＵＴＲＡＮのＲＲＣ層と論理的接続（ｌｏｇｉｃａｌ  ｃｏｎｎｅｃｔｉｏｎ）されているかどうかを意味し、接続している場合はＲＲＣ接続状態（ＲＲＣ＿ＣＯＮＮＥＣＴＥＤ）といい、接続されていない場合はＲＲＣアイドル状態（ＲＲＣ＿ＩＤＬＥ）という。ＲＲＣ接続状態の端末は、ＲＲＣ接続が存在するため、Ｅ−ＵＴＲＡＮは、該当端末の存在をセル単位で把握することができ、したがって、端末を効果的に制御することができる。それに対し、ＲＲＣアイドル状態の端末は、Ｅ−ＵＴＲＡＮが把握することができず、セルより大きい地域単位であるトラッキング領域（Ｔｒａｃｋｉｎｇ  Ａｒｅａ）単位でＣＮ（ｃｏｒｅ  ｎｅｔｗｏｒｋ）が管理する。即ち、ＲＲＣアイドル状態の端末は、大きい地域単位で存在の有無のみが把握され、音声やデータのような通常の移動通信サービスを受けるためにはＲＲＣ接続状態に移動しなければならない。
【００３９】
ユーザが端末の電源を最初にオンにした時、端末は、まず、適切なセルを探索した後、該当セルでＲＲＣアイドル状態にとどまる。ＲＲＣアイドル状態の端末は、ＲＲＣ接続を確立する必要がある時になって初めてＲＲＣ接続過程（ＲＲＣ  ｃｏｎｎｅｃｔｉｏｎ  ｐｒｏｃｅｄｕｒｅ）を介してＥ−ＵＴＲＡＮとＲＲＣ接続を確立し、ＲＲＣ接続状態に移動する。ＲＲＣアイドル状態の端末がＲＲＣ接続を確立する必要がある場合は多様であり、例えば、ユーザの通話試みなどの理由で上りデータ送信が必要な場合、またはＥ−ＵＴＲＡＮからページング（ｐａｇｉｎｇ）メッセージを受信した場合、これに対する応答メッセージ送信などを挙げることができる。
【００４０】
ＲＲＣ層の上位に位置するＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を遂行する。
【００４１】
ＮＡＳ層で端末の移動性を管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの二つの状態が定義されており、この二つの状態は、端末とＭＭＥに適用される。初期端末は、ＥＭＭ−ＤＥＲＥＧＩＳＴＥＲＥＤ状態であり、この端末がネットワークに接続するために初期連結（Ｉｎｉｔｉａｌ  Ａｔｔａｃｈ）手順を介して該当ネットワークに登録する過程を実行する。前記連結（Ａｔｔａｃｈ）手順が成功的に遂行されると、端末及びＭＭＥは、ＥＭＭ−ＲＥＧＩＳＴＥＲＥＤ状態になる。
【００４２】
端末とＥＰＣとの間のシグナリング接続（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の二つの状態が定義されており、この二つの状態は、端末及びＭＭＥに適用される。ＥＣＭ−ＩＤＬＥ状態の端末がＥ−ＵＴＲＡＮとＲＲＣ接続を確立すると、該当端末は、ＥＣＭ−ＣＯＮＮＥＣＴＥＤ状態になる。ＥＣＭ−ＩＤＬＥ状態にあるＭＭＥは、Ｅ−ＵＴＲＡＮとＳ１接続（Ｓ１  ｃｏｎｎｅｃｔｉｏｎ）を確立すると、ＥＣＭ−ＣＯＮＮＥＣＴＥＤ状態になる。端末がＥＣＭ−ＩＤＬＥ状態にある時、Ｅ−ＵＴＲＡＮは、端末のコンテキスト（ｃｏｎｔｅｘｔ）情報を有していない。したがって、ＥＣＭ−ＩＤＬＥ状態の端末は、ネットワークの命令を受ける必要なく、セル選択（ｃｅｌｌ  ｓｅｌｅｃｔｉｏｎ）またはセル再選択（ｒｅｓｅｌｅｃｔｉｏｎ）のような端末ベースの移動性関連手順を実行する。それに対し、端末がＥＣＭ−ＣＯＮＮＥＣＴＥＤ状態にある時、端末の移動性は、ネットワークの命令により管理される。ＥＣＭ−ＩＤＬＥ状態で端末の位置が、ネットワークが知っている位置と異なる場合、端末は、トラッキング領域更新（Ｔｒａｃｋｉｎｇ  Ａｒｅａ  Ｕｐｄａｔｅ）手順を介してネットワークに端末の該当位置を知らせる。
【００４３】
以下、Ｄ２Ｄ動作に対して説明する。３ＧＰＰ  ＬＴＥ−Ａでは、Ｄ２Ｄ動作と関連したサービスを近接性ベースのサービス（Ｐｒｏｘｉｍｉｔｙ  ｂａｓｅｄ  Ｓｅｒｖｉｃｅｓ：ＰｒｏＳｅ）という。以下、ＰｒｏＳｅは、Ｄ２Ｄ動作と同等な概念であり、Ｄ２Ｄ動作と混用されることができる。サイドリンク通信（ｓｉｄｅｌｉｎｋ  ｃｏｍｍｕｎｉｃａｔｉｏｎ）は、Ｄ２Ｄ通信、ＰｒｏＳｅ直接通信、ＰｒｏＳｅ通信などの他の用語として使用されることができ、サイドリンク発見は、Ｄ２Ｄ発見、ＰｒｏＳｅ直接発見、ＰｒｏＳｅ発見などの他の用語として使用されることもできる。これから、ＰｒｏＳｅについて記述する。Ｄ２Ｄ動作は、端末間で行われるが、前記端末間のインターフェースをサイドリンク（ｓｉｄｅｌｉｎｋ）と称することができる。サイドリンクは、サイドリンク通信及びサイドリンク発見のための端末と端末間のインターフェースであり、ＰＣ５インターフェースに対応する。
【００４４】
ＰｒｏＳｅには、ＰｒｏＳｅ直接通信（ｃｏｍｍｕｎｉｃａｔｉｏｎ）とＰｒｏＳｅ直接発見（ｄｉｒｅｃｔ  ｄｉｓｃｏｖｅｒｙ）とがある。ＰｒｏＳｅ直接通信は、近接した二つ以上の端末間で実行される通信を意味する。前記端末は、ユーザプレーンのプロトコルを利用して通信を実行することができる。ＰｒｏＳｅ可能端末（ＰｒｏＳｅ−ｅｎａｂｌｅｄ  ＵＥ）は、ＰｒｏＳｅの要求条件と関連した手順をサポートする端末を意味する。特別な言及がない場合、ＰｒｏＳｅ可能端末は、公共安全端末（ｐｕｂｌｉｃ  ｓａｆｅｔｙ  ＵＥ）と非公共安全端末（ｎｏｎ−ｐｕｂｌｉｃ  ｓａｆｅｔｙ  ＵＥ）を両方とも含む。公共安全端末は、公共安全に特化された機能とＰｒｏＳｅ過程を両方ともサポートする端末であり、非公共安全端末は、ＰｒｏＳｅ過程はサポートするが、公共安全に特化された機能はサポートしない端末である。
【００４５】
ＰｒｏＳｅ直接発見（ＰｒｏＳｅ  ｄｉｒｅｃｔ  ｄｉｓｃｏｖｅｒｙ）は、ＰｒｏＳｅ可能端末が、隣接した他のＰｒｏＳｅ可能端末を発見するための過程であり、このとき、前記２個のＰｒｏＳｅ可能端末の能力のみを使用する。ＥＰＣ次元のＰｒｏＳｅ発見（ＥＰＣ−ｌｅｖｅｌ  ＰｒｏＳｅ  ｄｉｓｃｏｖｅｒｙ、ＥＰＣレベルのＰｒｏＳｅ発見）は、ＥＰＣが２個のＰｒｏＳｅ可能端末の近接の有無を判断し、前記２個のＰｒｏＳｅ可能端末にそれらの近接を知らせる過程を意味する。
【００４６】
以下、便宜上、ＰｒｏＳｅ直接通信はＤ２Ｄ通信といい、ＰｒｏＳｅ直接発見はＤ２Ｄ発見という。
【００４７】
図４は、ＰｒｏＳｅのための基準構造を示す。
【００４８】
図４を参照すると、ＰｒｏＳｅのための基準構造は、Ｅ−ＵＴＲＡＮ、ＥＰＣ、ＰｒｏＳｅ応用プログラムを含む複数の端末、ＰｒｏＳｅ応用サーバ（ＰｒｏＳｅ  ＡＰＰ  ｓｅｒｖｅｒ、Ｐｒｏｓｅアプリケーションサーバ）、及びＰｒｏＳｅ機能（ＰｒｏＳｅ  ｆｕｎｃｔｉｏｎ）を含む。
【００４９】
ＥＰＣは、Ｅ−ＵＴＲＡＮコアネットワーク構造を代表する。ＥＰＣは、ＭＭＥ、Ｓ−ＧＷ、Ｐ−ＧＷ、ポリシー及び課金規則（ｐｏｌｉｃｙ  ａｎｄ  ｃｈａｒｇｉｎｇ  ｒｕｌｅｓ  ｆｕｎｃｔｉｏｎ：ＰＣＲＦ）、ホーム加入者サーバ（ｈｏｍｅ  ｓｕｂｓｃｒｉｂｅｒ  ｓｅｒｖｅｒ：ＨＳＳ）などを含むことができる。
【００５０】
ＰｒｏＳｅ応用サーバは、応用機能を作るためのＰｒｏＳｅ能力のユーザである。ＰｒｏＳｅ応用サーバは、端末内の応用プログラムと通信することができる。端末内の応用プログラムは、応用機能を作るためのＰｒｏＳｅ能力を使用することができる。
【００５１】
ＰｒｏＳｅ機能は、下記のうち少なくとも一つを含むことができるが、必ずこれに制限されるものではない。
【００５２】
−第３者応用プログラムに向かう基準点を介したインターワーキング（Ｉｎｔｅｒｗｏｒｋｉｎｇ  ｖｉａ  ａ  ｒｅｆｅｒｅｎｃｅ  ｐｏｉｎｔ  ｔｏｗａｒｄｓ  ｔｈｅ  ３ｒｄ  ｐａｒｔｙ  ａｐｐｌｉｃａｔｉｏｎｓ）
【００５３】
−発見及び直接通信のための認証及び端末に対する設定（Ａｕｔｈｏｒｉｚａｔｉｏｎ  ａｎｄ  ｃｏｎｆｉｇｕｒａｔｉｏｎ  ｏｆ  ｔｈｅ  ＵＥ  ｆｏｒ  ｄｉｓｃｏｖｅｒｙ  ａｎｄ  ｄｉｒｅｃｔ  ｃｏｍｍｕｎｉｃａｔｉｏｎ） 
【００５４】
−ＥＰＣ次元のＰｒｏＳｅ発見の機能（Ｅｎａｂｌｅ  ｔｈｅ  ｆｕｎｃｔｉｏｎａｌｉｔｙ  ｏｆ  ｔｈｅ  ＥＰＣ  ｌｅｖｅｌ  ＰｒｏＳｅ  ｄｉｓｃｏｖｅｒｙ）
【００５５】
−ＰｒｏＳｅと関連した新しい加入者データ及びデータ格納調整、ＰｒｏＳｅ  ＩＤの調整（ＰｒｏＳｅ  ｒｅｌａｔｅｄ  ｎｅｗ  ｓｕｂｓｃｒｉｂｅｒ  ｄａｔａ  ａｎｄ  ｈａｎｄｌｉｎｇ  ｏｆ  ｄａｔａ  ｓｔｏｒａｇｅ、ａｎｄ  ａｌｓｏ  ｈａｎｄｌｉｎｇ  ｏｆ  ＰｒｏＳｅ  ｉｄｅｎｔｉｔｉｅｓ）
【００５６】
−セキュリティ関連機能（Ｓｅｃｕｒｉｔｙ  ｒｅｌａｔｅｄ  ｆｕｎｃｔｉｏｎａｌｉｔｙ）
【００５７】
−ポリシー関連機能のためにＥＰＣに向かう制御提供（Ｐｒｏｖｉｄｅ  ｃｏｎｔｒｏｌ  ｔｏｗａｒｄｓ  ｔｈｅ  ＥＰＣ  ｆｏｒ  ｐｏｌｉｃｙ  ｒｅｌａｔｅｄ  ｆｕｎｃｔｉｏｎａｌｉｔｙ）
【００５８】
−課金のための機能提供（Ｐｒｏｖｉｄｅ  ｆｕｎｃｔｉｏｎａｌｉｔｙ  ｆｏｒ  ｃｈａｒｇｉｎｇ（ｖｉａ  ｏｒ  ｏｕｔｓｉｄｅ  ｏｆ  ＥＰＣ、例えば、ｏｆｆｌｉｎｅ  ｃｈａｒｇｉｎｇ））
【００５９】
以下、ＰｒｏＳｅのための基準構造において、基準点と基準インターフェースを説明する。
【００６０】
−ＰＣ１：端末内のＰｒｏＳｅ応用プログラムとＰｒｏＳｅ応用サーバ内のＰｒｏＳｅ応用プログラムとの間の基準点である。これは応用次元でシグナリング要求条件を定義するために使われる。
【００６１】
−ＰＣ２：ＰｒｏＳｅ応用サーバとＰｒｏＳｅ機能との間の基準点である。これはＰｒｏＳｅ応用サーバとＰｒｏＳｅ機能との間の相互作用を定義するために使われる。ＰｒｏＳｅ機能のＰｒｏＳｅデータベースの応用データアップデートが前記相互作用の一例になることができる。
【００６２】
−ＰＣ３：端末とＰｒｏＳｅ機能との間の基準点である。端末とＰｒｏＳｅ機能との間の相互作用を定義するために使われる。ＰｒｏＳｅ発見及び通信のための設定が前記相互作用の一例になることができる。
【００６３】
−ＰＣ４：ＥＰＣとＰｒｏＳｅ機能との間の基準点である。ＥＰＣとＰｒｏＳｅ機能との間の相互作用を定義するために使われる。前記相互作用は、端末間に１：１通信のための経路を設定する時、または実時間セッション管理や移動性管理のためのＰｒｏＳｅサービスを認証する時を例示することができる。
【００６４】
−ＰＣ５：端末間の発見及び通信、中継、１：１通信のために制御／ユーザプレーンを使用するための基準点である。
【００６５】
−ＰＣ６：互いに異なるＰＬＭＮに属するユーザ間にＰｒｏＳｅ発見のような機能を使用するための基準点である。
【００６６】
−ＳＧｉ：応用データ及び応用次元制御情報交換のために使われることができる。
【００６７】
Ｄ２Ｄ動作は、端末がネットワーク（セル）のカバレッジ内でサービスを受ける場合やネットワークのカバレッジから外れた場合の両方でサポートされることができる。
【００６８】
図５は、Ｄ２Ｄ動作を実行する端末とセルカバレッジの配置例を示す。
【００６９】
図５（ａ）を参照すると、端末Ａ及びＢは、両方ともセルカバレッジ外側に位置できる。図５（ｂ）を参照すると、端末Ａは、セルカバレッジ内に位置し、端末Ｂは、セルカバレッジ外側に位置できる。図５（ｃ）を参照すると、端末Ａ及びＢは、両方とも単一セルカバレッジ内に位置できる。図５（ｄ）を参照すると、端末Ａは、第１のセルのカバレッジ内に位置し、端末Ｂは、第２のセルのカバレッジ内に位置できる。
【００７０】
Ｄ２Ｄ動作は、図５のように多様な位置にある端末間で実行されることができる。
【００７１】
＜Ｄ２Ｄ通信（ＰｒｏＳｅ直接通信）のための無線リソース割当＞
【００７２】
Ｄ２Ｄ通信のためのリソース割当には、下記の二つのモードのうち少なくとも一つを利用することができる。
【００７３】
１．モード１
【００７４】
モード１は、ＰｒｏＳｅ直接通信のためのリソースを基地局からスケジューリングを受けるモードである。モード１により端末がデータを送信するためにはＲＲＣ＿ＣＯＮＮＥＣＴＥＤ状態でなければならない。端末は、送信リソースを基地局に要求し、基地局は、スケジューリング割当及びデータ送信のためのリソースをスケジューリングする。端末は、基地局にスケジューリング要求を送信し、ＰｒｏＳｅ  ＢＳＲ（Ｂｕｆｆｅｒ  Ｓｔａｔｕｓ  Ｒｅｐｏｒｔ）を送信することができる。基地局は、ＰｒｏＳｅ  ＢＳＲに基づいて、前記端末がＰｒｏＳｅ直接通信をするデータを有しており、この送信のためのリソースが必要であると判断する。
【００７５】
２．モード２
【００７６】
モード２は、端末が直接リソースを選択するモードである。端末は、リソースプール（ｒｅｓｏｕｒｃｅ  ｐｏｏｌ）で直接ＰｒｏＳｅ直接通信のためのリソースを選択する。リソースプールは、ネットワークにより設定され、または予め決まることができる。
【００７７】
一方、端末がサービングセルを有している場合、即ち、端末が基地局とＲＲＣ＿ＣＯＮＮＥＣＴＥＤ状態にある場合、またはＲＲＣ＿ＩＤＬＥ状態で特定セルに位置した場合、前記端末は、基地局のカバレッジ内にあると見なされる。
【００７８】
端末がカバレッジ外にある場合、前記モード２のみ適用されることができる。もし、端末がカバレッジ内にある場合、基地局の設定によってモード１またはモード２を使用することができる。
【００７９】
他の例外的な条件がない場合、基地局が設定した時にのみ、端末は、モード１からモード２に、またはモード２からモード１にモードを変更することができる。
【００８０】
＜Ｄ２Ｄ発見（ＰｒｏＳｅ直接発見：ＰｒｏＳｅ  ｄｉｒｅｃｔ  ｄｉｓｃｏｖｅｒｙ）＞
【００８１】
Ｄ２Ｄ発見は、ＰｒｏＳｅ可能端末が、近接した他のＰｒｏＳｅ可能端末を発見するときに使われる手順を意味し、ＰｒｏＳｅ直接発見とも呼ばれる。以下、ＰｒｏＳｅ直接発見に使われる情報を発見情報（ｄｉｓｃｏｖｅｒｙ  ｉｎｆｏｒｍａｔｉｏｎ）という。
【００８２】
Ｄ２Ｄ発見のためにはＰＣ５インターフェースが使われることができる。ＰＣ５インターフェースは、ＭＡＣ層、ＰＨＹ層、及び上位層であるＰｒｏＳｅ  Ｐｒｏｔｏｃｏｌ層で構成される。上位層（ＰｒｏＳｅ  Ｐｒｏｔｏｃｏｌ）で発見情報（ｄｉｓｃｏｖｅｒｙ  ｉｎｆｏｒｍａｔｉｏｎ）のお知らせ（ａｎｎｏｕｎｃｅｍｅｎｔ：以下、アナウンスメント）及びモニタリング（ｍｏｎｉｔｏｒｉｎｇ）に対する許可を扱って、発見情報の内容は、ＡＳ（ａｃｃｅｓｓ  ｓｔｒａｔｕｍ）に対して透過（ｔｒａｎｓｐａｒｅｎｔ）である。ＰｒｏＳｅ  Ｐｒｏｔｏｃｏｌは、アナウンスメントのために有効な発見情報のみがＡＳに伝達されるようにする。ＭＡＣ層は、上位層（ＰｒｏＳｅ  Ｐｒｏｔｏｃｏｌ）から発見情報を受信する。ＩＰ層は、発見情報送信のために使われない。ＭＡＣ層は、上位層から受けた発見情報をアナウンスするために使われるリソースを決定する。ＭＡＣ層は、発見情報を伝送するＭＡＣ  ＰＤＵ（ｐｒｏｔｏｃｏｌ  ｄａｔａ  ｕｎｉｔ）を作って物理層に送る。ＭＡＣヘッダは、追加されない。
【００８３】
発見情報アナウンスメントのために二つのタイプのリソース割当がある。
【００８４】
１. タイプ１
【００８５】
発見情報のアナウンスメントのためのリソースが端末を特定せずに割り当てられる方法であって、基地局が端末に発見情報アナウンスメントのためのリソースプール設定を提供する。この設定は、システム情報ブロック（ｓｙｓｔｅｍ  ｉｎｆｏｒｍａｔｉｏｎ  ｂｌｏｃｋ：ＳＩＢ）に含まれてブロードキャスト方式でシグナリングされることができる。または、前記設定は、端末を特定したＲＲＣメッセージに含まれて提供されることができる。または、前記設定は、ＲＲＣメッセージ外の他の層のブロードキャストシグナリングまたは端末を特定したシグナリングになることもできる。
【００８６】
端末は、指示されたリソースプールから自体的にリソースを選択し、選択したリソースを利用して発見情報をアナウンスする。端末は、各発見周期（ｄｉｓｃｏｖｅｒｙ  ｐｅｒｉｏｄ）の間に任意に選択したリソースを介して発見情報をアナウンスすることができる。
【００８７】
２. タイプ２
【００８８】
発見情報のアナウンスメントのためのリソースが、端末を特定して割り当てられる方法である。ＲＲＣ＿ＣＯＮＮＥＣＴＥＤ状態にある端末は、ＲＲＣ信号を介して基地局に発見信号アナウンスメントのためのリソースを要求することができる。基地局は、ＲＲＣ信号で発見信号アナウンスメントのためのリソースを割り当てることができる。端末に設定されたリソースプール内で発見信号モニタリングのためのリソースが割り当てられることができる。
【００８９】
ＲＲＣ＿ＩＤＬＥ状態にある端末に対して、基地局は、１）発見信号アナウンスメントのためのタイプ１のリソースプールをＳＩＢで知らせることができる。ＰｒｏＳｅ直接発見が許容された端末は、ＲＲＣ＿ＩＤＬＥ状態で発見情報アナウンスメントのためにタイプ１のリソースプールを利用する。または、基地局は、２）ＳＩＢを介して前記基地局が、ＰｒｏＳｅ直接発見はサポートすることを知らせるが、発見情報アナウンスメントのためのリソースは提供しない。この場合、端末は、発見情報アナウンスメントのためにはＲＲＣ＿ＣＯＮＮＥＣＴＥＤ状態に進入しなければならない。
【００９０】
ＲＲＣ＿ＣＯＮＮＥＣＴＥＤ状態にある端末に対して、基地局は、ＲＲＣ信号を介して前記端末が発見情報アナウンスメントのためにタイプ１のリソースプールを使用するか、またはタイプ２のリソースを使用するかを設定することができる。
【００９１】
これから、本発明について説明する。
【００９２】
本発明では、無線通信システムにおける下りリンク制御情報（Ｄｏｗｎｌｉｎｋ  Ｃｏｎｔｒｏｌ  Ｉｎｆｏｒｍａｔｉｏｎ：ＤＣＩ）送信方法及び装置を提案する。
【００９３】
以下、端末は、ユーザの端末を意味するが、基地局のようなネットワーク装備が端末間の通信方式によって信号を送受信する場合には、前記ネットワーク装備も一種の端末としてみなされることができる。
【００９４】
説明の都合上、本発明において使用される略字について説明する。
【００９５】
ＰＳＢＣＨ（Ｐｈｙｓｉｃａｌ  Ｓｉｄｅｌｉｎｋ  Ｂｒｏａｄｃａｓｔ  ＣＨａｎｎｅｌ）は、物理サイドリンクブロードキャストチャネルである。ＰＳＣＣＨ（Ｐｈｙｓｉｃａｌ  Ｓｉｄｅｌｉｎｋ  Ｃｏｎｔｒｏｌ  ＣＨａｎｎｅｌ）は、物理サイドリンク制御チャネルである。ＰＳＤＣＨ（Ｐｈｙｓｉｃａｌ  Ｓｉｄｅｌｉｎｋ  Ｄｉｓｃｏｖｅｒｙ  ＣＨａｎｎｅｌ）は、物理サイドリンク発見チャネルである。ＰＳＳＣＨ（Ｐｈｙｓｉｃａｌ  Ｓｉｄｅｌｉｎｋ  Ｓｈａｒｅｄ  ＣＨａｎｎｅｌ）は、物理サイドリンク共有チャネルである。ＳＬＳＳ（Ｓｉｄｅｌｉｎｋ  Ｓｙｎｃｈｒｏｎｉｚａｔｉｏｎ  Ｓｉｇｎａｌ）は、サイドリンク同期化信号である。ＳＬＳＳには、ＰＳＳＳ（Ｐｒｉｍａｒｙ  Ｓｉｄｅｌｉｎｋ  Ｓｙｎｃｈｒｏｎｉｚａｔｉｏｎ  Ｓｉｇｎａｌ）とＳＳＳＳ（Ｓｅｃｏｎｄａｒｙ  Ｓｉｄｅｌｉｎｋ  Ｓｙｎｃｈｒｏｎｉｚａｔｉｏｎ  Ｓｉｇｎａｌ）とがある。
【００９６】
ここで、サイドリンクは、前述したＤ２Ｄ通信とＤ２Ｄ発見のための端末と端末間のインターフェースを意味する。サイドリンクは、ＰＣ５インターフェースに対応する。Ｄ２Ｄ通信は、サイドリンク通信（ｓｉｄｅｌｉｎｋ  ｃｏｍｍｕｎｉｃａｔｉｏｎ）または単純に通信、Ｄ２Ｄ発見は、サイドリンク発見（ｓｉｄｅｌｉｎｋ  ｄｉｓｃｏｖｅｒｙ）または単純に発見と称することができる。Ｄ２Ｄ端末は、Ｄ２Ｄ動作を行う端末を意味し、Ｄ２Ｄ動作は、Ｄ２Ｄ通信、Ｄ２Ｄ発見のうち、少なくとも１つを含む。
【００９７】
以下では、説明の都合上、３ＧＰＰ  ＬＴＥ／ＬＴＥ−Ａシステムに基づいて本発明を説明する。しかし、本発明が適用されるシステムの範囲は、３ＧＰＰ  ＬＴＥ／ＬＴＥ−Ａシステムの他に、他のシステムへも拡張可能である。
【００９８】
また、本発明は、Ｖ２Ｘ（ｖｅｈｉｃｌｅ−ｔｏ−ｅｖｅｒｙｔｈｉｎｇ）通信にも適用されることができる。Ｖ２Ｘ通信は、運転中、道路インフラ及び他の車両と通信しながら交通状況などの情報を交換したり、共有する通信方式を意味する。Ｖ２Ｘは、車両間の通信を意味するＶ２Ｖ（Ｖｅｈｉｃｌｅ  ｔｏ  Ｖｅｈｉｃｌｅ）、車両と個人により携帯される端末間の通信を意味するＶ２Ｐ（Ｖｅｈｉｃｌｅ  ｔｏ  Ｐｅｄｅｓｔｒｉａｎ）、車両と路辺のユニット（ｒｏａｄｓｉｄｅ  ｕｎｉｔ：ＲＳＵ、路側機）とネットワーク（ｎｅｔｗｏｒｋ）間の通信を意味するＶ２Ｉ／Ｎ（Ｖｅｈｉｃｌｅ  ｔｏ  Ｉｎｆｒａｓｔｒｕｃｔｕｒｅ／Ｎｅｔｗｏｒｋ）を含むことができる。以下、Ｖ２Ｘ通信の例としてＶ２Ｖを例示するが、これは、制限ではない。
【００９９】
Ｖ２Ｖ通信実行に関連した端末動作について説明する。Ｖ２Ｖ通信は、第１の車両に設けられた端末と第２の車両に設けられた端末との間の通信を意味する。
【０１００】
図６は、Ｖ２Ｖ通信の実行シナリオを例示する。
【０１０１】
図６に示すように、Ｖ２Ｖ通信には、１）ただ端末（ＵＥ）間のインターフェースであるＰＣ５基盤のＶ２Ｖ動作のみを支援するシナリオ（Ｓｃｅｎａｒｉｏ  １）、２）ただ基地局（ｅＮｏｄｅＢ）と端末（ＵＥ）との間のインターフェースであるＵｕ基盤のＶ２Ｖ動作のみを支援するシナリオ（Ｓｃｅｎａｒｉｏ  ２）、３）ＰＣ５及びＵｕを共に使用してＶ２Ｖ動作を支援するシナリオ（Ｓｃｅｎａｒｉｏ  ３）などがある。
【０１０２】
図７は、端末等と基地局との間でＶ２Ｖ通信のためのシグナリング過程を例示する。
【０１０３】
図７に示すように、基地局は、端末＃１にＤＣＩフォーマットを送信する（Ｓ７０）。前記ＤＣＩフォーマットは、モード１、すなわち、基地局がＶ２Ｖ通信のための資源をスケジューリングするモードに対するＤＣＩフォーマットでありうる。端末＃１は、前記ＤＣＩフォーマットによってスケジューリングされた資源を利用して端末＃２とサイドリンク通信、例えば、Ｖ２Ｖ通信を行うことができる（Ｓ７１）。
【０１０４】
図８は、端末間でＶ２Ｖ通信のためのシグナリング過程を例示する。
【０１０５】
図８に示すように、端末＃１は、Ｖ２Ｖ通信のためのＳＣＩ（ｓｉｄｅｌｉｎｋ  ｃｏｎｔｒｏｌ  ｉｎｆｏｒｍａｔｉｏｎ）フォーマットを送信する（Ｓ８０）。その後、端末＃１は、端末＃２に前記ＳＣＩフォーマットに基づいたＶ２Ｖ通信を行うことができる（Ｓ８１）。
【０１０６】
一方、Ｖ２Ｖ通信と関連して、スケジューリング割当（ｓｃｈｅｄｕｌｉｎｇ  ａｓｓｉｇｎｍｅｎｔ：ＳＡ）と、これに関連したデータが同じサブフレーム内で送信される場合、前記ＳＡをデコードすることによって指示されるか、留保された（ｒｅｓｅｒｖｅｄ）資源または関連したデータ資源でのＰＳＳＣＨ  ＲＳＲＰが閾値以上である資源は除かれることができる。
【０１０７】
ここで、前記関連したデータ資源でのＰＳＳＣＨ  ＲＳＲＰは、関連したＰＳＣＣＨによって指示されたＰＲＢ内でＰＳＳＣＨと関連したＤＭ  ＲＳを運ぶ資源要素等の電力分布の線形平均と定義されることができる。
【０１０８】
ＰＳＳＣＨ  ＲＳＲＰに対する基準点（ｒｅｆｅｒｅｎｃｅ  ｐｏｉｎｔ）は、端末のアンテナ連結子（ａｎｔｅｎｎａ  ｃｏｎｎｅｃｔｏｒ）でありうる。
【０１０９】
ＳＡデコードと関連して端末は、次のような動作を行うことができる。
【０１１０】
サブフレーム（ｓｕｂｆｒａｍｅ、ＴＴＩと称することもできる、以下、同様）＃ｎで端末に資源選択／再選択がトリガリング（ｔｒｉｇｇｅｒｉｎｇ）され得る。すると、端末は、サブフレーム＃ｎ−ａとサブフレーム＃ｎ−ｂ（ａ＞ｂ＞０であり、ａ、ｂは、整数）間でセンシング（ｓｅｎｓｉｎｇ）を行い、その結果に基づいてＶ２Ｖメッセージ送信のための資源を選択／再選択できる。
【０１１１】
前記ａ、ｂは、端末に共通的に設定される値でありうるし、各端末に独立的に設定される値でありうる。
【０１１２】
前述したａ、ｂ値が端末に共通的な値である場合、例えば、「ａ＝１０００＋ｂ」のような関係でありうる。すなわち、Ｖ２Ｖメッセージ送信のための資源を端末が自ら選択するようにトリガリングされれば、端末は、１秒（１０００ｍｓ＝１０００個のサブフレーム＝１０００個のＴＴＩ）の間、センシング動作を行うことができる。
【０１１３】
端末は、サブフレーム＃ｎ−ａからサブフレーム＃ｎ−ｂまでの区間で他の端末のＳＡを考慮できる。前記ＳＡは、サブフレーム＃ｎ−ａからサブフレーム＃ｎ−ｂまでの区間でのデータ送信に関連したものでありうるし、前記ＳＡは、サブフレーム＃ｎ−ａより先に送信されることができる。
【０１１４】
サブフレーム＃ｍでセンシング動作を行えなかった端末は（例えば、サブフレーム＃ｍで信号を送信すべきなどの理由で）、サブフレーム＃（ｍ＋１００＊ｋ）を資源選択／再選択から除くことができる。一方、端末は、自分が信号を送信するのに使用されるサブフレームでは、センシング動作を行わずに、スキップ（ｓｋｉｐ）することができる。
【０１１５】
端末は、前記センシングを行った後、ＰＳＳＣＨ、すなわち、サイドリンクデータチャネルのための時間／周波数資源を選択する。
【０１１６】
または、センシング周期内のサブフレーム（ＴＴＩ）＃ｍ＋ｃでＳＡをデコードした第１の端末は、ＳＡを送信した第２の端末によって同じ周波数資源がサブフレーム＃ｍ＋ｄ＋Ｐ＊ｉでも留保されていると仮定することができる。ここで、Ｐは、１００に固定された値でありうる。ｉは、［０、１、．．．、１０］の中で選択されることができ、搬送波を特定して制限されることができる。または、ｉは、０に設定されることができ、これは、周波数資源留保意図がないことを意味する。前記ｉの値は、ＳＡ内の４ビットフィールドによってシグナリングされることができる。
【０１１７】
Ｐ＊Ｉ周期を有する候補半静的資源（ｃａｎｄｉｄａｔｅ  ｓｅｍｉ−ｐｅｒｓｉｓｔｅｎｔ  ｒｅｓｏｕｒｃｅ）Ｘが他の端末のＳＡによって留保された資源Ｙと衝突し、閾値条件を満たすと、端末は、前記資源Ｘを除くことができる。前記Ｉ値は、ＳＡによってシグナリングされたｉのための値でありうる。
【０１１８】
ＳＡデコード、センシング過程などを経て資源を除いた後、残った資源が選択ウィンドウ内での総資源の２０％より少ない場合、端末は、閾値を増加（例えば、３ｄＢ）させた後、再度資源を除く過程を行い、この過程は、前記残った資源が前記選択ウィンドウ内での総資源の２０％より多くなるまで行われることができる。
【０１１９】
ＰＳＳＣＨ資源の測定周期は、Ｐでありうる。前記測定は、前述した段階を経て残った資源に限定して行われることができる。
【０１２０】
一方、特定資源を除いた後、Ｖ２Ｖ送信資源を選択する過程で、端末は、カウンタが０値に到達すれば、確率ｐに現在資源を維持し、前記カウンタをリセットすることができる。すなわち、確率１−ｐに資源が再選択されることができる。搬送波を特定したパラメータであるｐは、予め設定されることができ、［０、０．２、０．４、０．６、０．８］の範囲に設定されることができる。
【０１２１】
端末は、特定資源を除いた残りのＰＳＳＣＨ資源を測定し、総受信エネルギーに基づいてランキングを付けた後、部分集合を選択する。前記部分集合は、最も低い受信エネルギーを有する候補資源等の集合でありうる。前記部分集合のサイズは、選択ウィンドウ内の総資源の２０％でありうる。
【０１２２】
端末は、前記部分集合から１つの資源をランダムに選択することができる。
【０１２３】
１つのサブフレームで１つの送信ブロックのみが送信されるとき、端末は、連続したＭ個のサブチャネルを選択でき、各サブチャネルで測定したエネルギーの平均が各資源のエネルギー測定値になることができる。
【０１２４】
送信ブロックが２個のサブフレームから送信されるとき、次の資源選択方法が支援され得る。送信ブロックが１つのサブフレームから送信される場合について定義されたメカニズムを使用して１つの資源が選択され得る。または、特定条件を満たす場合、ランダムに他の資源を選択できる。
【０１２５】
端末は、ＳＡ無しでは送信ブロックを送信できない。すなわち、ＴＢ送信または再送信にＳＡも送信されなければならない。
【０１２６】
同一のサブフレーム内でＳＡとデータとが送信され得るように資源が設定されれば、端末は、他のサブフレームから送信されたＰＳＣＣＨとの結合は期待しない。
【０１２７】
同一サブフレームにおいて、隣接した資源ブロックでＳＡとデータとが常に送信されるように資源が設定されれば、データ送信のために選択されたサブチャネルの中で最も低いインデックスを有するサブチャネルがＳＡ送信のために使用される。資源プールは、周波数領域で１つまたは複数のサブチャネルで構成されることができる。サブチャネルは、同一サブフレームにおいて連続する資源ブロックで構成されることができる。サブチャネルのサイズ、すなわち、サブチャネルを構成する資源ブロックの個数は、｛５、６、１０、１５、２０、２５、５０、７５、１００｝のうち、いずれか１つでありうるし、予め決められるか、基地局によって設定されることができる。各サブチャネルは、１つのＳＡ候補資源を含むことができる。ＳＡ候補資源は、データ送信に使用されることもできる。
【０１２８】
同一サブフレームにおいて、隣接しない資源ブロックでＳＡとデータとを送信できるように資源が設定されれば、関連したデータ資源プールでのサブチャネルの個数とＳＡ資源プールでのＳＡ候補資源等の個数は同一でありうる。ＳＡ資源プールでのＳＡ候補資源とデータ資源プールでのサブチャネルとは、１：１に関連することができる。ＰＳＳＣＨ資源プールは、周波数領域において１つまたは複数のサブチャネルで構成されることができる。サブチャネルは、同一サブフレームにおいて連続する資源ブロックで構成されることができ、予め決められるか、基地局によって設定されることができる。１つのサブフレームにおいて最大サブチャネル個数は２０個でありうる。サブチャネルの最小サイズ（資源ブロックの個数）は、４でありうる。ＰＳＣＣＨ資源プールは、連続するＰＲＢで構成されることができる。
【０１２９】
ＰＳＳＣＨのエネルギーセンシングの単位（ｇｒａｎｕｌａｒｉｔｙ）は、サブチャネルのサイズでありうる。
【０１３０】
端末は、送信のために整数個の隣接するサブチャネルを常に選択することができる。
【０１３１】
端末は、１つのサブフレームにおいて１００個より多い資源ブロックのデコードを試みず、１０個より多いＰＳＣＣＨデコードも試みない。
【０１３２】
ＳＡ資源プールとデータ資源プールとは重なることがある。
【０１３３】
Ｖ２Ｖのための資源プールは、ＳＬＳＳが送信されるサブフレームを除いた残りのサブフレームにマッピングされるビットマップによって定義されることができる。前記ビットマップの長さは、１５、２０、１００のうち、いずれか１つでありうる。前記ビットマップは、Ｖ２ＶのためのＳＡ／データ送信／受信が許容されるサブフレームを指示／定義することができる。
【０１３４】
資源再選択がトリガリングされれば、端末は、送信ブロックに対応する送信の全てに対して資源を再選択する。ＳＡは、１つの送信ブロックに対応する送信のみスケジューリングする。
【０１３５】
以下では、（Ａ）モード２  Ｖ２Ｖスケジューリング（ＭＯＤＥ２＿ＳＣＨ）動作時に使用されるサイドリンク制御情報（ｓｉｄｅｌｉｎｋ  ｃｏｎｔｒｏｌ  ｉｎｆｏｒｍａｔｉｏｎ：ＳＣＩ）フォーマット構成フィールド（等）、そして／あるいは（Ｂ）モード１動的（ＤＹＮＡＭＩＣ）Ｖ２Ｖスケジューリング（ＭＯＤＥ１＿ＤＹＮ）動作時に使用されるＤＣＩフォーマット構成フィールド（等）について説明する。ここで、モード１は、Ｖ２Ｖ通信のための資源を基地局からスケジューリングされるモードであり、モード２は、ネットワークによって設定されるか、予め決められた資源プールから端末がＶ２Ｖ通信のための資源を選択するモードである。
【０１３６】
ＳＣＩは、サイドリンクにおいて端末により送信される制御情報であって、合計４８ビットでありうるし、次のようなフィールドを含むことができる。
【０１３７】
優先度（Ｐｒｉｏｒｉｔｙ）：３ビット、資源留保（ｒｅｓｏｕｒｃｅ  ｒｅｓｅｒｖａｔｉｏｎ）：４ビット、ＭＣＳ：５ビット、ＣＲＣ：１６ビット、再送信インデックス：１ビット、初期送信と再送信との間の時間ギャップ：４ビット（ただし、このフィールドは、０〜１５のうち、１つの値を有し、０は、関連送信ブロックの再送信がない／再送信でないことを表す）、初期送信及び再送信の周波数資源位置（ＦＲＡ＿ＩＮＲＥＴＸ）：８ビット、留保されたビット：７ビット、初期送信及び再送信に順にＲＶ０、２が使用される。
【０１３８】
サイドリンクの動的スケジューリングのために基地局が送信する下りリンク制御情報（ＤＣＩ）には、次のフィールドを含むことができる。
【０１３９】
ＣＩＦ：３ビット（ＣＩＦの解釈は、予め設定されることができ、これは、上りリンク、下りリンクのためのＣＩＦと異なるように設定されることもできる）、初期送信に割り当てられたサブチャネルの最も低い（小さい）インデックス（ＰＳＣＣＨ＿ＲＡ）：５ビット、ＳＡ内容：ｉ）初期送信と再送信との間の時間ギャップ（ＴＧＡＰ＿ＩＮＲＥＴＸ：４ビット）、ｉｉ）初期送信及び再送信の周波数資源位置（ＦＲＡ＿ＩＮＲＥＴＸ：８ビット）、前記ＤＣＩの長さは、ＤＣＩフォーマット０と同一でありうるし、Ｃ−ＲＮＴＩ／ＳＰＳ−ＲＮＴＩでない他のＲＮＴＩが使用され得る。初期送信の時間位置は、Ｖ２Ｖ搬送波での資源プールに含まれた最初のサブフレームでありうるし、ＤＣＩが送信されたサブフレームから４ｍｓ後のサブフレームでありうる。
【０１４０】
１つのサブフレーム内において、Ｖ２Ｖ資源プールで構成され得るサブチャネル等の最大個数（これをＳＦ＿ＭＡＸＮＵＭＳＣＨとする）を（常に）「２０」個と仮定するとき、ＭＯＤＥ１＿ＤＹＮ  ＤＣＩフォーマットのペイロードサイズは、合計「２０」ビット（例えば、「３（＝ＣＩＦ）＋５（＝ＰＳＣＣＨ＿ＲＡ）＋４（＝ＴＧＡＰ＿ＩＮＲＥＴＸ）＋８（＝ＦＲＡ＿ＩＮＲＥＴＸ）＝２０」）でありうる。
【０１４１】
ＭＯＤＥ１＿ＤＹＮ  ＤＣＩフォーマットのペイロードサイズを既存のＤＣＩフォーマット０のものと同様に合わせるとき、特定システム帯域幅（例えば、「１．４ＭＨＺ」）での既存のＤＣＩフォーマット０のペイロードサイズ（例えば、「１９」ビット（１．４ＭＨＺ））よりＭＯＤＥ１＿ＤＹＮ  ＤＣＩフォーマットのもの（例えば、「２０」ビット）が大きくなるという問題が生じる可能性がある。下記（一部）の提案方式等は、当該問題を解決するための方法を提示する。
【０１４２】
一例として、Ｖ２Ｖ（ＰＳＳＣＨ（／ＰＳＣＣＨ））資源プールは、（Ａ）１つのサブフレーム内でＶ２Ｖ資源プールを構成する全体サブチャネル個数、そして／あるいは（Ｂ）（１つの）サブチャネルを構成する資源ブロックＲＢ個数（サブチャネルサイズ）、そして／あるいは（Ｃ）周波数領域上でサブチャネルの開始ＲＢ位置、そして／あるいは（Ｄ）Ｖ２Ｖ資源プールが設定されたサブフレーム位置（例えば、予め定義された長さ（例えば、「１６」、「２０」、「１００」）のビットマップ形態）、（そして／あるいは（Ｅ）ＰＳＣＣＨ資源プールの（周波数領域上で）サブチャネル開始ＲＢ位置（例えば、当該情報は、ＰＳＣＣＨと（連動された）ＰＳＳＣＨとが同一サブフレーム上の隣接ＲＢ（Ｓ）に位置しない場合にのみ有効（／存在）でありうる））などに関する情報）シグナリングに設定されることができる。
【０１４３】
下記（一部）の提案方式等は、ＭＯＤＥ２＿ＳＣＨ動作関連ＳＣＩフォーマット（上のＦＲＡ＿ＩＮＲＥＴＸサイズ決定）にも拡張適用されることができる。
【０１４４】
次の表は、システム帯域別に既存のＤＣＩフォーマット０のペイロードサイズを例示する。
【０１４５】
【表１】
2019534596.tif 000003
【０１４６】
［提案方法＃１］一例として、ＤＣＩフォーマット５Ａに含まれたＦＲＡ＿ＩＮＲＥＴＸ（そして／あるいは、ＰＳＣＣＨ＿ＲＡ）サイズが予め設定（／シグナリング）された（１つのサブフレーム内で）Ｖ２Ｖ資源プールを構成する全体サブチャネルの個数（ＴＳＵＢＮＵＭ＿ＳＦ）によって変更されるようにすることができる。ここで、ＤＣＩフォーマット５Ａは、ＰＳＣＣＨスケジューリングに使用されるＤＣＩフォーマットであり、ＰＳＳＣＨスケジューリングに使用されるフィールド等も含むことができる。
【０１４７】
図９は、提案方法＃１によるＤＣＩフォーマット５Ａのペイロードサイズ決定方法を示す。
【０１４８】
図９に示すように、基地局は、サブフレーム内のＶ２Ｖ資源プールのサブチャネル個数（＝ＴＳＵＢＮＵＭ＿ＳＦ）を決定し（Ｓ１００）、前記サブチャネル個数（＝ＴＳＵＢＮＵＭ＿ＳＦ）によってＤＣＩフォーマット５Ａのペイロード（ｐａｙｌｏａｄ）サイズを変更（初期送信及び再送信の周波数資源位置フィールド）できる（Ｓ１１０）。ここで、サブチャネルは、同一サブフレーム内において隣接した複数の資源ブロックで構成されることができる。例えば、基地局は、サブチャネルを構成する資源ブロックの個数を調節することにより、ＤＣＩフォーマット５ＡのＲＡ（資源割当）フィールドのサイズを調節できる。これにより、ＤＣＩフォーマット５Ａの総ペイロードサイズがＤＣＩフォーマット０より大きくなることを防止できる。
【０１４９】
例えば、「ＴＳＵＢＮＵＭ＿ＳＦ＝Ｋ」の場合、ＤＣＩフォーマット５Ａに含まれたＦＲＡ＿ＩＮＲＥＴＸ（＝初期送信及び再送信の周波数資源位置フィールド）（そして／あるいは、ＰＳＣＣＨ＿ＲＡ（＝初期送信に割り当てられたサブチャネルの最も低い（小さい）インデックスフィールド））のサイズは、「ＣＥＩＬＩＮＧ（ＬＯＧ２（Ｋ・（Ｋ＋１）／２））」（そして／あるいは、「ＣＥＩＬＩＮＧ（ＬＯＧ２（Ｋ））」）でありうる。ここで、ＣＥＩＬＩＮＧ（Ｘ）は、Ｘより大きいか、同じ最小整数値を導き出す関数である。
【０１５０】
一例として、「ＴＳＵＢＮＵＭ＿ＳＦ＝１０」の場合、前記ＦＲＡ＿ＩＮＲＥＴＸ（そして／あるいは、前記ＰＳＣＣＨ＿ＲＡ）サイズは、「６」ビット（そして／あるいは、「４」ビット）でありうる。  
【０１５１】
このような規則が適用される場合、（ネットワークにより）ＴＳＵＢＮＵＭ＿ＳＦ（＝サブチャネル個数）値が適宜設定（／シグナリング）されることにより、前述した問題、すなわち、「１．４ＭＨＺシステム帯域幅下の既存のＤＣＩフォーマット０のペイロードサイズ（例えば、「１９」ビット）よりＭＯＤＥ１＿ＤＹＮ  ＤＣＩフォーマットのペイロードサイズ（例えば、「２０」ビット）が大きくなるという問題を解決できる。
【０１５２】
一例として、「ＦＬＯＯＲ（システム帯域幅／（１つの）サブチャネルを構成する資源ブロック等の個数（サブチャネルサイズ））」値（これをＭＡＸ＿ＳＵＢＶＡＬとする）によって、ＦＲＡ＿ＩＮＲＥＴＸ（そして／あるいは、ＰＳＣＣＨ＿ＲＡ）サイズが変更されるようにすることもできる。ここで、ＦＬＯＯＲ（Ｘ）は、Ｘより小さいか、同じ最大整数値を導き出す関数である。
【０１５３】
一例として、「ＭＡＸ＿ＳＵＢＶＡＬ＝Ｋ」の場合、ＦＲＡ＿ＩＮＲＥＴＸの（そして／あるいは、ＰＳＣＣＨ＿ＲＡ）サイズは、「ＣＥＩＬＩＮＧ（ＬＯＧ２（Ｋ・（Ｋ＋１）／２））」（そして／あるいは、「ＣＥＩＬＩＮＧ（ＬＯＧ２（Ｋ））」）に変更されることができる。
【０１５４】
［提案方法＃２］一例として、（前記［提案方法＃１］が適用される場合）「（（既存）ＤＣＩフォーマット０のペイロードサイズ−ＣＥＩＬＩＮＧ（ＬＯＧ２（Ｋ・（Ｋ＋１）／２））（＝ＦＲＡ＿ＩＮＲＥＴＸサイズ）−３（＝ＣＩＦ）−５（＝ＰＳＣＣＨ＿ＲＡ）−４（＝ＴＧＡＰ＿ＩＮＲＥＴＸ））」の残りのビット（そして／あるいは、「（（既存）ＤＣＩフォーマット０のペイロードサイズ−ＣＥＩＬＩＮＧ（ＬＯＧ２（Ｋ・（Ｋ＋１）／２））（＝ＦＲＡ＿ＩＮＲＥＴＸサイズ）−３（＝ＣＩＦ）−ＣＥＩＬＩＮＧ（ＬＯＧ２（Ｋ））（＝ＰＳＣＣＨ＿ＲＡサイズ）−４（＝ＴＧＡＰ＿ＩＮＲＥＴＸ））」の残りのビット）は、（サービング）基地局（あるいは、ネットワーク）が予め定義された（上位（／物理）層（例えば、「ＳＩＢ（あるいは、ＲＲＣ）」））シグナリングを介して指定した値（例えば、「０」（あるいは、「１」））に設定させるか、あるいは、（端末をして）（常に）「ゼロパディング（ＺＥＲＯ  ＰＡＤＤＩＮＧ）」させることができる。残りのビットは、「仮想ＣＲＣ（ＶＩＲＴＵＡＬ  ＣＲＣ）」として使用されることができる。
【０１５５】
このような（一部）規則の適用は、（ＭＯＤＥ１＿ＤＹＮ  ＤＣＩフォーマットそして／あるいはＭＯＤＥ２＿ＳＣＨ  ＳＣＩフォーマットの場合）ＦＲＡ＿ＩＮＲＥＴＸサイズが前記［提案方法＃１］によって変更されることにより発生される追加的な余裕分のビット（例えば、「（８−ＣＥＩＬＩＮＧ（ＬＯＧ２（Ｋ・（Ｋ＋１）／２））（＝ＦＲＡ＿ＩＮＲＥＴＸサイズ））」（そして／あるいは、「（８−ＣＥＩＬＩＮＧ（ＬＯＧ２（Ｋ・（Ｋ＋１）／２））（＝ＦＲＡ＿ＩＮＲＥＴＸサイズ）−ＣＥＩＬＩＮＧ（ＬＯＧ２（Ｋ））（＝ＰＳＣＣＨ＿ＲＡサイズ））」））（そして／あるいは、予め定義（／シグナリング）された（ターゲット）ペイロードサイズ（例えば、ＭＯＤＥ１＿ＤＹＮ  ＤＣＩフォーマット、ＭＯＤＥ２＿ＳＣＨ  ＳＣＩフォーマットの（ターゲット）ペイロードサイズは、各々（既存）ＤＣＩフォーマット０ペイロードサイズ、４８ビットになることができる）で、ＦＲＡ＿ＩＮＲＥＴＸサイズが前記［提案方法＃１］によって変更されることにより発生される（追加的な）余裕分のビットが（サービング）基地局（あるいは、ネットワーク）が予め定義された（上位（／物理）層）シグナリングを介して指定した値で指定されるか、あるいは、（端末により）（常に）「ゼロパディング」されることと解釈されることもできる。
【０１５６】
前記［提案方法＃１］が適用される場合、ＭＯＤＥ１＿ＤＹＮ動作関連ＤＣＩフォーマット上に（モード１）ＳＰＳ動作関連フィールド（例えば、「ＳＰＳ設定（／活性化（／解除））指示子」）（ＳＰＳ＿ＰＡＬＤ）が追加的に定義されなければならないとき、「（（既存）ＤＣＩフォーマット０のペイロードサイズ−ＣＥＩＬＩＮＧ（ＬＯＧ２（Ｋ・（Ｋ＋１）／２））（＝ＦＲＡ＿ＩＮＲＥＴＸサイズ）−３（＝ＣＩＦ）−５（＝ＰＳＣＣＨ＿ＲＡ）−４（＝ＴＧＡＰ＿ＩＮＲＥＴＸ）−ＳＰＳ＿ＰＡＬＤサイズ）」の残りのビット（そして／あるいは、「（（既存）ＤＣＩフォーマット０のペイロードサイズ−ＣＥＩＬＩＮＧ（ＬＯＧ２（Ｋ・（Ｋ＋１）／２））（＝ＦＲＡ＿ＩＮＲＥＴＸサイズ）−３（＝ＣＩＦ）−ＣＥＩＬＩＮＧ（ＬＯＧ２（Ｋ））（＝ＰＳＣＣＨ＿ＲＡサイズ）−４（＝ＴＧＡＰ＿ＩＮＲＥＴＸ）−ＳＰＳ＿ＰＡＬＤサイズ）」の残りのビット）が「０」より大きい条件を満たす範囲内で、ＴＳＵＢＮＵＭ＿ＳＦ値が（限定的に）設定（／シグナリング）されるようにすることもできる。
【０１５７】
ＭＯＤＥ１＿ＤＹＮ動作関連ＤＣＩフォーマット（Ｍ１ＤＹＮ＿ＤＣＩ）は、下記（一部）の規則にしたがって運営されることができる。当該（一部）規則は、ＭＯＤＥ  １  Ｖ２Ｖ  ＳＰＳ動作関連ＤＣＩフォーマットの場合にも拡張適用されることができる。
【０１５８】
［提案方法＃３］特定周波数（／セル）（これをＳＤ＿ＣＥＬＬとする）に対する交差搬送波スケジューリング（ＣＲＯＳＳ−ＣＡＲＲＩＥＲ  ＳＣＨＥＤＵＬＩＮＧ：ＣＣＳ）をするＭ１ＤＹＮ＿ＤＣＩが、予め設定（／シグナリング）された「（他の）特定周波数（／セル）（これをＳＣ＿ＣＥＬＬとする）の検索空間（ＳＳ）」上で送信されるとき、前記ＣＣＳ  Ｍ１ＤＹＮ＿ＤＣＩのペイロードサイズをＳＤ＿ＣＥＬＬ関連パラメータ（例えば、システム（上りリンク）帯域幅基盤の予め設定（／シグナリング）されたＤＣＩフォーマット（例えば、「ＤＣＩフォーマット０」）（ペイロード）サイズ（ＳＤ＿ＦＭＯＬＮ）でなく）ＳＣ＿ＣＥＬＬ関連パラメータ基盤の予め設定（／シグナリング）されたＤＣＩフォーマット（ペイロード）サイズ（ＳＣ＿ＦＭＯＬＮ）（例えば、「ＤＣＩフォーマット０」）と同一に合わせるようにすることができる。
【０１５９】
ここで、ＳＤ＿ＣＥＬＬ関連Ｍ１ＤＹＮ＿ＤＣＩが送信される「（他の）特定周波数（／セル）（ＳＣ＿ＣＥＬＬ）検索空間」は、ＳＤ＿ＣＥＬＬを交差搬送波スケジューリングする（予め設定（／シグナリング）された）（他の）周波数（／セル）上に位置しながら、（他の）特定周波数（／セル）（ＳＣ＿ＣＥＬＬ）関連の交差搬送波スケジューリング情報が送信される検索空間と解釈されることができる。
【０１６０】
一例として、ＣＣＳ  Ｍ１ＤＹＮ＿ＤＣＩの（ペイロード）サイズがＳＣ＿ＦＭＯＬＮより小さい場合、ＳＣ＿ＦＭＯＬＮと（ペイロード）サイズが同一になるまでゼロパディングさせるようにすることができる。
【０１６１】
図１０は、従来技術によるＤＣＩフォーマット１Ａのサイズ合わせ方式を示す。
【０１６２】
図１０に示すように、プライマリセルのＰＤＣＣＨ領域内で、セカンダリセル＃１（Ｓｃｅｌｌ＃１）をスケジューリングするＤＣＩに対する第１の検索空間１２１とセカンダリセル＃２（Ｓｃｅｌｌ＃２）をスケジューリングするＤＣＩに対する第２の検索空間１２２とが決定され得る。セカンダリセル＃１に対するＣＩＦはＮであり、セカンダリセル＃２に対するＣＩＦはＭであり、Ｎ、Ｍは、互いに異なる整数でありうる。
【０１６３】
このような場合、第１の検索空間１２１でセカンダリセル＃１（Ｓｃｅｌｌ＃１）に対するＤＣＩフォーマット１Ａは、セカンダリセル＃１（Ｓｃｅｌｌ＃１）に対するＤＣＩフォーマット０のサイズに合わせてサイズ合わせを行う。また、第２の検索空間１２２でセカンダリセル＃２（Ｓｃｅｌｌ＃２）に対するＤＣＩフォーマット１Ａは、セカンダリセル＃２（Ｓｃｅｌｌ＃２）に対するＤＣＩフォーマット０のサイズに合わせてサイズ合わせを行う。すなわち、与えられた検索空間にマッピングされるＤＣＩフォーマット１Ａの情報ビット等の個数が、前記検索空間にマッピングされ、同じサービングセルをスケジューリングするＤＣＩフォーマット０より小さい場合、前記ＤＣＩフォーマット０とサイズが同一になるまでゼロパディングを行うものである。
【０１６４】
図１１は、提案方法＃３によるＤＣＩフォーマット５Ａのサイズ合わせ方式を概念的に示したものである。
【０１６５】
図１１に示すように、セカンダリセル＃１に対するＤＣＩフォーマット０とＶ２Ｖ搬送波に対するＤＣＩフォーマット５Ａとが同じ検索空間を共有できる。例えば、セカンダリセル＃１に対するＣＩＦ値とＶ２Ｖ搬送波に対するＣＩＦ値とが同一に設定（＝Ｎ）される場合、検索空間が共通して設定されることができる。
【０１６６】
このような場合、Ｖ２Ｖ搬送波に対するＤＣＩフォーマット５Ａは、同じサービングセルに対するものであるか否かと関係なく、同じ検索空間を共有するＤＣＩフォーマット０のサイズに合わせてゼロパディング（すなわち、サイズ合わせ）を行う。すなわち、他のセルに対するＤＣＩフォーマット０としても同じ検索空間を共有する場合、前記他のセルに対するＤＣＩフォーマット０のサイズにＶ２Ｖ搬送波に対するＤＣＩフォーマット５Ａのサイズを合わせるものである。
【０１６７】
図１２は、一般化された、提案方法＃３によるＤＣＩフォーマットのサイズ合わせ方式を例示する。
【０１６８】
図１２に示すように、基地局は、第１のＤＣＩフォーマット（ｆｏｒｍａｔ）のサイズを決定し（Ｓ２０）、前記第１のＤＣＩフォーマットのサイズと同一に第２のＤＣＩフォーマットのサイズを合わせた（ゼロパディング）後（Ｓ２１）、端末に送信することができる。前記第１のＤＣＩフォーマットと前記第２のＤＣＩフォーマットとは、同じサービングセルに対するものであるか否かと関係なく、同じ検索空間を共有するＤＣＩフォーマットでありうる。すなわち、前記第１のＤＣＩフォーマットと前記第２のＤＣＩフォーマットとは、互いに異なるサービングセル（ｓｅｒｖｉｎｇ  ｃｅｌｌ）の物理チャネルをスケジューリングするＤＣＩフォーマットでありうる。
【０１６９】
前記第１のＤＣＩフォーマットと前記第２のＤＣＩフォーマットとは、同じ搬送波指示フィールド（ｃａｒｒｉｅｒ  ｉｎｄｉｃａｔｉｏｎ  ｆｉｅｌｄ：ＣＩＦ）値を有することにより、同じ検索空間を共有できる。すなわち、同じ検索空間にマッピングされることができる。
【０１７０】
図１３は、図１２の具体的な適用例である。
【０１７１】
図１３に示すように、基地局は、ＤＣＩフォーマット０のサイズを決定し（Ｓ２００）、前記ＤＣＩフォーマット０のサイズと同一に、ＤＣＩフォーマット５Ａのサイズを合わせた（ゼロパディング）後（Ｓ２１０）、端末に送信することができる。前述したように、ＤＣＩフォーマット０は、物理上りリンク共有チャネル（ｐｈｙｓｉｃａｌ  ｕｐｌｉｎｋ  ｓｈａｒｅｄ  ｃｈａｎｎｅｌ：ＰＵＳＣＨ）のスケジューリングに使用されるＤＣＩフォーマットであり、ＤＣＩフォーマット５Ａは、物理サイドリンク制御チャネル（ｐｈｙｓｉｃａｌ  ｓｉｄｅｌｉｎｋ  ｃｏｎｔｒｏｌ  ｃｈａｎｎｅｌ：ＰＳＣＣＨ）のスケジューリングに使用されるＤＣＩフォーマットであり、ＰＳＳＣＨスケジューリングのためのフィールドも含むことができる。
【０１７２】
一方、前記規則が適用される場合、端末は、当該ＳＣ＿ＣＥＬＬ  ＳＳ上で、ゼロパディング前のＣＣＳ  Ｍ１ＤＹＮ＿ＤＣＩ（ペイロード）サイズがＳＣ＿ＦＭＯＬＮ（例えば、「ＤＣＩフォーマット０」）より大きい場合はないことと（常に）仮定（／期待）することができる。そして／あるいは、当該ＳＣ＿ＣＥＬＬ  ＳＳ上でゼロパディング前のＣＣＳ  Ｍ１ＤＹＮ＿ＤＣＩ（ペイロード）サイズがＳＣ＿ＦＭＯＬＮより大きい場合がないように、ネットワークが（常に）設定（／シグナリング）（あるいは、（Ｖ２Ｘ資源プールを構成するサブチャネルの個数などを調節することにより）保証）することと解釈することもできる。
【０１７３】
端末は、検索空間で検索すべきＤＣＩフォーマットを判断し、検索するにあたって、ＤＣＩフォーマット５Ａのサイズが検索空間を共有するＤＣＩフォーマット０のサイズと同一であることを前提としてＤＣＩフォーマット５Ａを検索できる。
【０１７４】
図１４は、検索空間で端末の動作方法を例示する。
【０１７５】
図１４に示すように、与えられた検索空間でＤＣＩフォーマット０のサイズを判断し（Ｓ４００）、前記検索空間では、前記ＤＣＩフォーマット０のサイズより大きいサイズを有するＤＣＩフォーマット５Ａの検出を期待しないことが（試みないことが）できる（Ｓ４１０）。
【０１７６】
ＳＣ＿ＣＥＬＬ検索空間上で送信される、予め設定（／シグナリング）された複数個の、ＳＤ＿ＣＥＬＬ（Ｓ）関連ＣＣＳ  Ｍ１ＤＹＮ＿ＤＣＩ（Ｓ）は、それぞれの搬送波指示フィールド（ＣＡＲＲＩＥＲ  ＩＮＤＩＣＡＴＩＯＮ  ＦＩＥＬＤ：ＣＩＦ）値に関係なく、ＳＣ＿ＣＥＬＬ関連の端末を特定した検索空間（ＵＥ−ＳＰＥＣＩＦＩＣ  ＳＥＡＲＣＨ  ＳＰＡＣＥ：ＵＳＳ）（そして／あるいは、共通検索空間（ＣＯＭＭＯＮ  ＳＥＡＲＣＨ  ＳＰＡＣＥ：ＣＳＳ））上で送信（あるいは、ＣＩＦ値を入力パラメータとして有する検索空間式により導き出された（ＳＣ＿ＣＥＬＬ上の）（個別）ＳＤ＿ＣＥＬＬ関連ＵＳＳ（そして／あるいは、ＣＳＳ）上で送信（例えば、ＳＤ＿ＣＥＬＬ関連ＣＣＳ  Ｍ１ＤＹＮ＿ＤＣＩがＳＣ＿ＣＥＬＬ  ＳＳ上で送信されることは、ＳＤ＿ＣＥＬＬ／ＳＣ＿ＣＥＬＬ  ＣＩＦ値が同一なものとみなすこともできる））されることとみなすこともできる。
【０１７７】
特定周波数（／セル）関連Ｍ１ＤＹＮ＿ＤＣＩ上のＣＩＦフィールド（例えば、「３」ビット）は、交差搬送波スケジューリング動作設定（／適用）の有無に関係なく、常に存在するように定義されることができる。
【０１７８】
このような規則が適用される場合、自己スケジューリング（ＳＥＬＦ−ＳＣＨＥＤＵＬＩＮＧ：ＳＦＳ）ＭＯＤＥ１＿ＤＹＮ動作が適用される周波数（／セル）（ＳＦ＿ＣＥＬＬ）上で送信されるＭ１ＤＹＮ＿ＤＣＩのペイロードサイズは、ＣＩＦフィールドが存在しないとき（あるいは、交差搬送波スケジューリング動作が設定されなかったとき）のＳＦ＿ＣＥＬＬ関連パラメータ（例えば、システム（上りリンク）帯域幅基盤の予め設定（／シグナリング）されたＤＣＩフォーマット（例えば、「ＤＣＩフォーマット０」）（ペイロード）サイズと同一に合わせるようにすることもできる。
【０１７９】
予め設定（／シグナリング）された特定周波数（／セル）（例えば、プライマリ周波数（／セル）あるいはセカンダリ周波数（／セル））（ＵＳＳ（そして／あるいは、ＣＳＳ））上のみで（（予め設定（／シグナリング）された）（複数個の）ＳＤ＿ＣＥＬＬ（Ｓ）関連）ＣＣＳ  Ｍ１ＤＹＮ＿ＤＣＩ（Ｓ）が送信されるようにするか、そして／あるいは、予め設定（／シグナリング）された特定周波数（／セル）関連ＣＩＦ値が（常に）「０」（あるいは、予め設定（／シグナリング）された特定値）に設定）されるようにすることができる。
【０１８０】
一例として、Ｖ２Ｘ通信（／動作）が行われる周波数（／セル）のＣＩＦ値とＷＡＮ（上りリンク）通信（／動作）が行われる周波数（／セル）のＣＩＦ値との間の連結が予め定義された上位（／物理）層シグナリングを介して設定されることができる。
【０１８１】
前記規則が適用される場合、Ｖ２Ｘ通信（／動作）が行われる周波数（／セル）関連Ｖ２Ｘ ＤＣＩは、（当該）連結が設定されたＷＡＮ（上りリンク）通信（／動作）が行われる周波数（／セル）関連検索空間上で（ブラインド）検出されることができる。そして／あるいは、ＷＡＮ（上りリンク）通信（／動作）が行われる周波数（／セル）関連ＷＡＮ（上りリンク）ＤＣＩは、（当該）連結が設定されたＶ２Ｖ通信（／動作）が行われる周波数（／セル）関連検索空間上でブラインド検出されることと解釈することができる。
【０１８２】
これから、モード１サイドリンク動的スケジューリングＤＣＩ（ＳＩＤＥＬＩＮＫ  ＤＹＮＡＭＩＣ  ＳＣＨＥＤＵＬＩＮＧ  ＤＣＩ：ＭＯＤＥ１＿ＳＬＤＹＮＤＣＩ）、そして／あるいは、モード１サイドリンク半静的スケジューリングＤＣＩ（ＳＩＤＥＬＩＮＫ  ＳＥＭＩ−ＰＥＲＳＩＳＴＥＮＴ  ＳＣＨＥＤＵＬＩＮＧ  ＤＣＩ：ＭＯＤＥ１＿ＳＬＳＰＳＤＣＩ）、そして／あるいは、モード１上りリンク半静的スケジューリングＤＣＩ（ＭＯＤＥ  １  ＵＰＬＩＮＫ  ＳＥＭＩ−ＰＥＲＳＩＳＴＥＮＴ  ＳＣＨＥＤＵＬＩＮＧ  ＤＣＩ：ＭＯＤＥ１＿ＵＬＳＰＳＤＣＩ）関連構造及び（ペイロード）サイズについて説明する。
【０１８３】
下記（一部）の規則にしたがって、前記ＤＣＩ関連「サイズ合わせ（ＳＩＺＥ  ＦＩＴＴＩＮＧ）」動作が行われるようにすることができる。下記（一部）の規則は、１つのＶ２Ｘ端末に、特定の１つの搬送波／周波数に対して、モード１サイドリンク動的スケジューリング（これをＭＯＤＥ１＿ＳＬＤＹＮという）動作、そして／あるいは、モード１サイドリンク半静的スケジューリング（これをＭＯＤＥ１＿ＳＬＳＰＳという）動作が同時に設定（／シグナリング）された場合にのみ限定的に適用されることもできる。
【０１８４】
以下では、説明の都合上、ＭＯＤＥ１＿ＳＬＤＹＮ動作そして／あるいはＭＯＤＥ１＿ＳＬＳＰＳ動作が行われる搬送波（／周波数）を「Ｖ２Ｘ＿ＣＡＲＲＩＥＲ」と命名し、関連交差搬送波スケジューリング（ＣＣＳ）ＤＣＩが送信される搬送波（／周波数）を「ＳＣＨ＿ＣＡＲＲＩＥＲ」と称する。「ＳＣＨ＿ＣＡＲＲＩＥＲ」は、例えば、『ＷＡＮ（上りリンク）搬送波（／周波数）』（例えば、『プライマリセル（／セカンダリセル）』））と命名することもできる。
【０１８５】
Ｖ２Ｘ＿ＣＡＲＲＩＥＲとＳＣＨ＿ＣＡＲＲＩＥＲとは、交差搬送波スケジューリングで相違した搬送波でありうるし、自己スケジューリング（『ＳＥＬＦ−ＳＣＨＥＤＵＬＩＮＧ（ＳＦＳ）ＣＡＳＥ』）では同一でありうる。
【０１８６】
本発明において、「搬送波（ＣＡＲＲＩＥＲ）」という用語は、「セル（ＣＥＬＬ）」そして／あるいは「要素搬送波（ＣＯＭＰＯＮＥＮＴ  ＣＡＲＲＩＥＲ）」）と（拡張）解釈されることもできる。
【０１８７】
モード１サイドリンク動的スケジューリングＤＣＩ（ＭＯＤＥ１＿ＳＬＤＹＮＤＣＩ）は、次のフィールドを含むことができる。
【０１８８】
１）ＣＩＦ：３ビット、２）サブチャネル割当の最も低いインデックス：Ｃｅｉｌ（ｌｏｇ２（ｋ））に求められることができ、ビットサイズは、０から５のうち、いずれか１つでありうる。３）初期送信及び再送信間の時間ギャップ：４ビット、４）初期送信及び最も最近の送信の周波数資源：Ｃｅｉｌ（ｌｏｇ２（ｋ＊（ｋ＋１）／２））に求められることができ、ビットサイズは、０から８のうち、いずれか１つでありうる。
【０１８９】
仮に、与えられた検索空間にマッピングされたＶ２Ｖ  ＤＣＩフォーマットで情報ビット等の個数が、同じ検索空間にマッピングされたＤＣＩフォーマット０のペイロードサイズより小さければ、ＤＣＩフォーマット０（パディングビットがあるなら、含んで）のサイズと同一になるまで、Ｖ２Ｖ  ＤＣＩフォーマットにゼロ（ｚｅｒｏ）値を追加（ａｐｐｅｎｄ）する。
【０１９０】
モード１サイドリンク半静的スケジューリングＤＣＩ（ＭＯＤＥ１＿ＳＬＳＰＳＤＣＩ）は、次のフィールドを含むことができる。
【０１９１】
ＭＯＤＥ１＿ＳＬＳＰＳＤＣＩには、既存の動的スケジューリングＤＣＩ（例えば、ＤＣＩ  ５Ａ）に含まれたフィールドの他に、追加的に次の２個のフィールドを含むことができる。１）サイドリンクＳＰＳ設定インデックス：３ビット、２）活性化／解除指示：１ビット。活性化／解除指示フィールドは、サイドリンクＳＰＳの活性化／解除を指示できる。サイドリンク動的スケジューリングＲＮＴＩと異なるＲＮＴＩ（ＳＬ  ＳＰＳ  ＲＮＴＩ）が定義され得る。
【０１９２】
ＭＯＤＥ１＿ＳＬＳＰＳＤＣＩは、１つのＳＰＳ設定インデックスを含むことができる。
【０１９３】
仮に、与えられた検索空間にマッピングされたサイドリンク半静的スケジューリングＤＣＩフォーマットで情報ビット等の個数が、同じ検索空間にマッピングされたＤＣＩフォーマット０のペイロードサイズより小さければ、ＤＣＩフォーマット０（パディングビットがあるなら、含んで）のサイズと同一になるまで、サイドリンク半静的スケジューリングＤＣＩフォーマットにゼロ（ｚｅｒｏ）値を追加（ａｐｐｅｎｄ）する。
【０１９４】
モード１上りリンク半静的スケジューリングＤＣＩ（ＭＯＤＥ１＿ＵＬＳＰＳＤＣＩ）は、ＤＣＩフォーマット０に存在する特定フィールド、例えば、循環シフトＤＭ  ＲＳ（３ビット）フィールドまたはＴＰＣ命令（２ビット）フィールドを、Ｖ２Ｘ上りリンクＳＰＳ設定インデックスを指示するのに再使用することができる。
【０１９５】
モード１上りリンク半静的スケジューリングＤＣＩは、１つのＳＰＳ設定インデックスを含むことができる。
【０１９６】
［提案方法＃４］一例として、ＭＯＤＥ１＿ＳＬＤＹＮＤＣＩ、ＭＯＤＥ１＿ＳＬＳＰＳＤＣＩのうち、少なくとも１つがＷＡＮ（上りリンク）通信（搬送波（／周波数））関連『ＤＣＩフォーマット０』が送信されるＳＣＨ＿ＣＡＲＲＩＥＲ上の検索空間で送信されるならば（または、逆に、ＭＯＤＥ１＿ＳＬＤＹＮＤＣＩ、ＭＯＤＥ１＿ＳＬＳＰＳＤＣＩのうち、少なくとも１つが送信されるＳＣＨ＿ＣＡＲＲＩＥＲ上の検索空間にＷＡＮ（上りリンク）通信（搬送波（／周波数））関連『ＤＣＩフォーマット０』が送信（／存在）されるならば）、次の例示のうち、少なくとも１つの方法が適用され得る。
【０１９７】
（例示＃４−１）ＭＯＤＥ１＿ＳＬＤＹＮＤＣＩ、ＭＯＤＥ１＿ＳＬＳＰＳＤＣＩ、ＤＣＩ  ＦＯＲＭＡＴ  ０の中で最も大きいペイロードサイズ（例えば、ＭＯＤＥ１＿ＳＬＳＰＳＤＣＩあるいはＤＣＩ  ＦＯＲＭＡＴ  ０）に前記３個のＤＣＩの全て、あるいは予め定義されたり、シグナリングされた（特定）ＤＣＩ（例えば、ＭＯＤＥ１＿ＳＬＤＹＮＤＣＩ）のみをサイズ合わせ（ＳＩＺＥ  ＦＩＴＴＩＮＧ）することができる。
【０１９８】
（例示＃４−２）ＭＯＤＥ１＿ＳＬＤＹＮＤＣＩのペイロードサイズ（のみ）をＭＯＤＥ１＿ＳＬＳＰＳＤＣＩのサイズに合わせることができる。例えば、仮に、ＤＣＩフォーマット０のペイロードサイズがＭＯＤＥ１＿ＳＬＳＰＳＤＣＩ（そして／あるいは、ＭＯＤＥ１＿ＳＬＤＹＮＤＣＩ）のものより小さければ、ＭＯＤＥ１＿ＳＬＤＹＮＤＣＩのペイロードサイズ（のみ）をＭＯＤＥ１＿ＳＬＳＰＳＤＣＩのサイズに合わせることができる。
【０１９９】
（例示＃４−３）ＭＯＤＥ１＿ＳＬＤＹＮＤＣＩ、そして／あるいは、ＭＯＤＥ１＿ＳＬＳＰＳＤＣＩ、そして／あるいは、ＤＣＩフォーマット０関連ペイロードサイズを予め設定（／シグナリング）された特定ＤＣＩフォーマット（例えば、ＭＯＤＥ１＿ＳＬＳＰＳＤＣＩあるいはＤＣＩフォーマット０）関連ペイロードサイズに全てサイズ合わせ（ＳＩＺＥ  ＦＩＴＴＩＮＧ）することができる。
【０２００】
サイドリンク動的スケジューリングに使用されるＤＣＩ（ＭＯＤＥ１＿ＳＬＤＹＮＤＣＩ）そして／あるいはサイドリンク半静的スケジューリングに使用されるＤＣＩ（ＭＯＤＥ１＿ＳＬＳＰＳＤＣＩ）が送信されるスケジューリング搬送波（ＳＣＨ＿ＣＡＲＲＩＥＲ）上の検索空間領域は、Ｖ２Ｘ＿ＣＡＲＲＩＥＲ関連ＣＩＦ値を用いて導き出されたものである。ＤＣＩフォーマット０は、同一検索空間上に送信されるＭＯＤＥ１＿ＳＬＤＹＮＤＣＩそして／あるいはＭＯＤＥ１＿ＳＬＳＰＳＤＣＩ関連「サイズ合わせ」のために、予め設定（／シグナリング）された特定『基準ＤＣＩフォーマット』と解釈されることもできる。
【０２０１】
さらに他の一例として、ＭＯＤＥ１＿ＳＬＤＹＮＤＣＩそして／あるいはＭＯＤＥ１＿ＳＬＳＰＳＤＣＩが『基準ＤＣＩフォーマット（例えば、ＤＣＩ  ＦＯＲＭＡＴ  ０）』が送信されないＳＣＨ＿ＣＡＲＲＩＥＲ上の検索空間で送信されるならば（または、逆に、ＭＯＤＥ１＿ＳＬＤＹＮＤＣＩそして／あるいはＭＯＤＥ１＿ＳＬＳＰＳＤＣＩが送信されるＳＣＨ＿ＣＡＲＲＩＥＲ上の検索空間に『基準ＤＣＩフォーマット』が送信（／存在）されないならば）、次の例示のうち、少なくとも１つの方法が適用され得る。
【０２０２】
（例示＃４−４）ＭＯＤＥ１＿ＳＬＤＹＮＤＣＩ関連ペイロードサイズを相対的に大きいペイロードサイズのＭＯＤＥ１＿ＳＬＳＰＳＤＣＩに「サイズ合わせ」することができる。例えば、ＭＯＤＥ１＿ＳＬＳＰＳＤＣＩのペイロードサイズがＭＯＤＥ１＿ＳＬＤＹＮＤＣＩのものに比べて『４ビット』大きいことができる。
【０２０３】
図１５は、例示＃４−４によるＤＣＩサイズ合わせ方法を例示する。
【０２０４】
図１５に示すように、予め定義された基準ＤＣＩフォーマット（例えば、ＤＣＩフォーマット０）が、サイドリンク半静的スケジューリングに使用されるＤＣＩとサイドリンク動的スケジューリングに使用されるＤＣＩとが送信される検索空間に存在しないならば、基地局は、サイドリンク半静的スケジューリングに使用されるＤＣＩのサイズを判断し（Ｓ３００）、前記サイドリンク半静的スケジューリングに使用されるＤＣＩのサイズに、サイドリンク動的スケジューリングに使用されるＤＣＩのサイズを合わせることができる（Ｓ３１０）。
【０２０５】
すなわち、ＤＣＩフォーマット０が送信されないスケジューリング搬送波上の検索空間でサイドリンク半静的スケジューリングに使用されるＤＣＩ及びサイドリンク動的スケジューリングに使用されるＤＣＩが送信される場合、前記サイドリンク半静的スケジューリングに使用されるＤＣＩのサイズに前記サイドリンク動的スケジューリングに使用されるＤＣＩのサイズを合わせるものである。このような方法によって端末のブラインドデコード回数を減らし、複雑度を低めることができる。
【０２０６】
（例示＃４−５）Ｖ２Ｘ＿ＣＡＲＲＩＥＲを仮想的なＷＡＮ（上りリンク）通信搬送波（／周波数）とみなし、当該Ｖ２Ｘ＿ＣＡＲＲＩＥＲの（システム）帯域幅基盤の『ＤＣＩフォーマット０』のペイロードサイズ、ＷＡＮ（上りリンク（／下りリンク））通信が行われる）ＳＣＨ＿ＣＡＲＲＩＥＲ（システム）帯域幅基盤の『ＤＣＩフォーマット０』のペイロードサイズ、予め設定（／許容）された最も大きいサイズの（システム）帯域幅（例えば、２０ＭＨＺ）、あるいは、『名目システム帯域（ＮＯＭＩＮＡＬ  ＳＹＳＴＥＭ  ＢＡＮＤＷＩＤＴＨ）』、最も多いサブチャネル個数（例えば、「２０」）（あるいは、『名目サブチャネル数（ＮＯＭＩＮＡＬ  ＳＵＢＣＨＡＮＮＥＬ  ＮＵＭＢＥＲ）』）のうち、少なくとも１つに基づいた『ＤＣＩフォーマット０』（あるいは、ＭＯＤＥ１＿ＳＬＳＰＳＤＣＩ）ペイロードサイズ（これをＶＩＲ＿ＤＣＩＺＳＩＺＥとする）を導き出す。その後、（Ａ）ＭＯＤＥ１＿ＳＬＤＹＮＤＣＩそして／あるいはＭＯＤＥ１＿ＳＬＳＰＳＤＣＩ関連ペイロードサイズを前記『ＶＩＲ＿ＤＣＩＺＳＩＺＥ』に（全て）「サイズ合わせ」することができる。そして／あるいは、（Ｂ）ＭＯＤＥ１＿ＳＬＤＹＮＤＣＩ、そして／あるいはＭＯＤＥ１＿ＳＬＳＰＳＤＣＩ、そして／あるいは『ＶＩＲ＿ＤＣＩＺＳＩＺＥ』のうち、最も大きいペイロードサイズに（全て）「サイズ合わせ」することができる。
【０２０７】
（例示＃４−６）ＭＯＤＥ１＿ＳＬＤＹＮＤＣＩそして／あるいはＭＯＤＥ１＿ＳＬＳＰＳＤＣＩ関連ペイロードサイズを予め設定（／シグナリング）された特定ＤＣＩフォーマット関連ペイロードサイズに（全て）「サイズ合わせ」することができる。
【０２０８】
ここで、一例として、（ＭＯＤＥ１＿ＳＬＤＹＮＤＣＩそして／あるいはＭＯＤＥ１＿ＳＬＳＰＳＤＣＩの）「ＳＩＺＥ  ＦＩＴＴＩＮＧ」のために、参照されるＤＣＩ（ペイロード）サイズ（例えば、ＶＩＲ＿ＤＣＩＺＳＩＺＥ）計算時、仮定（／適用）される『ＤＵＰＬＥＸ  ＭＯＤＥ』（例えば、『ＴＤＤ／ＦＤＤ』）情報は、（Ａ）システム帯域幅（値）が参照されるキャリア（若しくは、Ｖ２Ｘ＿ＣＡＲＲＩＥＲあるいはＳＣＨ＿ＣＡＲＲＩＥＲ）のものと同様に仮定（／見なし）されるか、そして／あるいは、（Ｂ）予め設定（／シグナリング）された『ＮＯＭＩＮＡＬ  ＤＵＰＬＥＸ  ＭＯＤＥ』と仮定（／見なし）されることもできる。ここで、一例として、（ＤＣＩ  ＦＯＲＭＡＴ  ０のペイロードサイズがＭＯＤＥ１＿ＳＬＤＹＮＤＣＩそして／あるいはＭＯＤＥ１＿ＳＬＳＰＳＤＣＩ（そして／あるいは、ＶＩＲ＿ＤＣＩＺＳＩＺＥ）より小さくて）ＤＣＩ  ＦＯＲＭＡＴ  ０のペイロードサイズを（「ＳＩＺＥ  ＦＩＴＴＩＮＧ」のために）増加させなければならない場合、（同一ＳＳ上に送信される）ＤＣＩ  ＦＯＲＭＡＴ  １Ａのペイロードサイズを増加されたペイロードサイズのＤＣＩ  ＦＯＲＭＡＴ  ０に「ＳＩＺＥ  ＦＩＴＴＩＮＧ」させることができる。
【０２０９】
さらに他の一例として、Ｖ２Ｘ＿ＣＡＲＲＩＥＲ上の予め設定（／シグナリング）されたＶ２Ｘ資源プール内の全てのサブフレームが（（ＴＤＤ）ＵＵ搬送波から）（交差搬送波）スケジューリングされ得るようにするために、ＭＯＤＥ１＿ＳＬＤＹＮＤＣＩそして／あるいはＭＯＤＥ１＿ＳＬＳＰＳＤＣＩ上に「スケジューリングされたＶ２Ｘサブフレームの時間位置」関連情報を知らせる追加的なフィールドが定義され得る。このフィールドは、例えば、『２ビット』で構成されることができ、「ＴＬ＿ＦＩＥＬＤ」と称することができる。ＵＵ搬送波とは、基地局と端末との間で使用される搬送波である。
【０２１０】
前記ＴＬ＿ＦＩＥＬＤサイズは、（（ＴＤＤ）ＵＵ搬送波のＴＤＤ  ＵＬ−ＤＬ設定に関係なく）、予め設定（／シグナリング）された値（これをＫ＿ＳＩＺＥとする）で固定させることができる。ただし、（ＴＤＤ）ＵＵ搬送波のＴＤＤ  ＵＬ−ＤＬ設定別にＫ＿ＳＩＺＥ中に実際使用されるビットサイズが相違するように（あるいは、独立的に）設定（／シグナリング）されることはできる。
【０２１１】
Ｋ＿ＳＩＺＥ中に実際使用されないビットは、予め設定（／シグナリング）された値（例えば、「０」）に指定されるか、『仮想ＣＲＣ』として使用されることができる。そして／あるいは、Ｋ＿ＳＩＺＥ中に実際使用されないビットは、Ｖ２Ｘ端末をしてランダム値に指定することもできる。これは、（ＰＳＣＣＨ  ＣＲＣ値に導き出される）ＰＳＳＣＨ  ＤＭ−ＲＳシーケンス（／循環シフト）の追加的なランダム化効果を得るための目的として使用されることができる。
【０２１２】
仮に、（（ＴＤＤ）ＵＵ搬送波上の）サブフレーム＃Ｎ（ＳＦ＃Ｎ）時点でＴＬ＿ＦＩＥＬＤが含まれた（交差搬送波スケジューリング）ＭＯＤＥ１＿ＳＬＤＹＮＤＣＩそして／あるいはＭＯＤＥ１＿ＳＬＳＰＳＤＣＩが受信され、このとき、ＴＬ＿ＦＩＥＬＤが「Ｋ」値を指示するならば、スケジューリング情報基盤の初期送信実行時点は、当該（交差搬送波スケジューリング）ＭＯＤＥ１＿ＳＬＤＹＮＤＣＩそして／あるいはＭＯＤＥ１＿ＳＬＳＰＳＤＣＩ受信時点（ＳＦ＃Ｎ）から４ｍｓ（４サブフレーム）以後に、（予め設定（／シグナリング）された）Ｖ２Ｘ資源プールに属する最も近い（Ｋ＋１）番目のＶ２Ｘサブフレームになることができる。
【０２１３】
前述した規則上で、ＴＬ＿ＦＩＥＬＤサイズ（そして／あるいは、Ｋ＿ＳＩＺＥ中に実際使用されるビット）は、（ＴＤＤ）ＵＵ搬送波のＴＤＤ  ＵＬ−ＤＬ設定（そして／あるいは、（Ｖ２Ｘ送信関連）スケジューリングタイプ（例えば、自己搬送波スケジューリング（ＳＥＬＦ−ＣＡＲＲＩＥＲ  ＳＣＨＥＤＵＬＩＮＧ）、交差搬送波スケジューリング）別に相違するように設定（／シグナリング）されることもできる。
【０２１４】
前記規則等は、Ｖ２Ｘ  ＵＬ  ＳＰＳ活性化（／解除）時点の指定（／スケジューリング）自由度増加のために、Ｖ２Ｘ  ＵＬ  ＳＰＳ  ＤＣＩのためにも拡張適用されることもできる。
【０２１５】
仮に（（ＴＤＤ）ＵＵ搬送波上の）ＳＦ＃Ｎ時点でＴＬ＿ＦＩＥＬＤが含まれた（交差搬送波スケジューリング）Ｖ２Ｘ  ＵＬ活性化（／解除）ＳＰＳ  ＤＣＩが受信され、（このとき）ＴＬ＿ＦＩＥＬＤが「Ｋ」値を指示するならば、Ｖ２Ｘ  ＵＬ活性化（／解除）適用時点は、当該（交差搬送波スケジューリング）Ｖ２Ｘ  ＵＬ活性化（／解除）ＳＰＳ  ＤＣＩ受信時点（ＳＦ＃Ｎ）から４ｍｓ（４サブフレーム）以後に、最も近い（Ｋ＋１）番目の上りリンクサブフレームになることができる。
【０２１６】
図１６は、サイドリンク交差搬送波スケジューリングタイミングを例示する。
【０２１７】
図１６に示すように、Ｕｕ搬送波は、ＴＤＤ  ＵＬ−ＤＬ設定＃０に設定された状態である。
【０２１８】
仮に、図１６のように、Ｕｕ搬送波のサブフレーム＃ｎ（下りリンクサブフレームまたは特殊サブフレーム）でＤＣＩを受信し、前記ＤＣＩによってＰＣ５搬送波のサブフレーム＃ｎ＋４をスケジューリングするならば、ＰＣ５搬送波の全てのサブフレームをスケジューリングすることはできなくなる。したがって、ＴＤＤでは、スケジューリングされるＶ２Ｖサブフレームの時間位置を知らせるフィールドを追加できる。
【０２１９】
以下では、（Ａ）「ＭＯＤＥ  １サイドリンク動的スケジューリング」関連ＤＣＩフォーマット（例えば、ＤＣＩフォーマット５Ａ）（これをＳＬＤＹＮ＿ＤＣＩとする）フィールド構成、そして／あるいは、（Ｂ）「ＭＯＤＥ  １サイドリンクＳＰＳ」関連ＤＣＩフォーマット（これをＳＬＳＰＳ＿ＤＣＩとする）フィールド構成、そして／あるいは、（Ｃ）ＳＣＩフォーマット（例えば、ＳＣＩフォーマット１）（これをＳＣＩ＿ＦＭＴとする）関連フィールド構成の例を説明する。
【０２２０】
「ＭＯＤＥ  １サイドリンクＳＰＳ」動作が行われる場合、端末をして、下記（一部）の規則にしたがって、ＳＣＩフォーマット上の「資源留保（ＲＥＳＯＵＲＣＥ  ＲＥＳＥＲＶＡＴＩＯＮ）」フィールド（例えば、Ｖ２Ｘ送信端末の資源予約周期値、Ｖ２Ｘメッセージ送信周期値を表すフィールドでありうる）値を設定させることができる。
【０２２１】
まず、ＰＳＣＣＨのスケジューリングに使用されるＤＣＩフォーマット５Ａ（ＳＬＤＹＮ＿ＤＣＩ）は、次の情報またはフィールドを含むことができる。
【０２２２】
１）搬送波指示フィールド（３ビット）、２）サブチャネル割当の最も低いインデックス（このフィールドは、ｃｅｉｌ（ｌｏｇ２（ＮＳＬｓｕｂｃｈａｎｎｅｌ））ビットで構成されることができる）、３）ＳＣＩフォーマット１フィールド、４）サイドリンクインデックス（２ビット、このフィールドは、ＴＤＤ  ＵＬ−ＤＬ設定０−６で動作する場合に限って存在し得る）。
【０２２３】
前記ＳＣＩフォーマット１フィールドは、１）初期送信及び再送信の周波数資源位置フィールド、２）初期送信及び再送信間の時間ギャップフィールドを含むことができる。
【０２２４】
仮に、与えられた検索空間にマッピングされたＤＣＩフォーマット５Ａで情報ビット等の個数が、同じ検索空間にマッピングされたＤＣＩフォーマット０のペイロードサイズより小さければ、ＤＣＩフォーマット０（パディングビットがあるなら、含んで）のサイズと同一になるまで、  ＤＣＩフォーマット５Ａにゼロ（ｚｅｒｏ）値を追加（ａｐｐｅｎｄ）する。
【０２２５】
サイドリンクＳＰＳ  ＤＣＩ（ＳＬＳＰＳ＿ＤＣＩ）には、動的スケジューリングＤＣＩ（すなわち、ＤＣＩフォーマット５Ａ）に含まれたフィールドに追加して、１）サイドリンクＳＰＳ設定インデックスフィールド（３ビット）、２）活性化／解除指示（１ビット）フィールドをさらに含むことができる。
【０２２６】
ＳＣＩフォーマット１（ＳＣＩ＿ＦＭＴ）は、ＰＳＳＣＨのスケジューリングに使用され、次の情報ビットまたはフィールドを含むことができる。
【０２２７】
１）優先度（ｐｒｉｏｒｉｔｙ）フィールド（３ビット）、２）資源留保（４ビット）、３）初期送信及び再送信の周波数資源位置（このフィールドは、ｃｅｉｌ（ｌｏｇ２（ＮＳＬｓｕｂｃｈａｎｎｅｌ（ＮＳＬｓｕｂｃｈａｎｎｅｌ＋１）／２）ビットで構成されることができる）、４）初期送信及び再送信間の時間ギャップ（４ビット）、５）変調及びコーディング技法（５ビット）、６）再送信インデックス（１ビット）。一方、ＳＣＩフォーマット１のサイズが３２ビットになるまで留保された情報ビットが追加される。
【０２２８】
［提案方法＃５］基地局がＶ２Ｘ送信端末＃Ｋ（ＵＥ＃Ｋ）に、ＳＬＳＰＳ＿ＤＣＩを介して、（特定）サイドリンクＳＰＳ設定（インデックス）（これをＳＬＳＰＳＣＯＮ＃Ｘとする）活性化、そして／あるいは、（ＳＬＳＰＳＣＯＮ＃Ｘ関連）（周期的な）資源予約を行った場合、Ｖ２Ｘ送信端末＃Ｋをして、当該（ＳＬＳＰＳＣＯＮ＃Ｘ関連）（周期的な）資源を一部あるいは全部利用してＶ２Ｘメッセージ送信を行うとき、ＳＣＩ＿ＦＭＴ上の「資源留保」フィールド値を（Ａ）（予め基地局から（ＲＲＣ）シグナリングされた）ＳＬＳＰＳＣＯＮ＃Ｘ関連周期値に設定させるか、そして／あるいは、（Ｂ）「資源留保」フィールド値に設定可能な（搬送波を特定した）（候補）値でない、（予め設定（／シグナリング）された、あるいは端末実現で）他の値に設定させることができる。これにより、（自分が）「モード１”（そして／あるいは、「モード１サイドリンクＳＰＳ」）基盤のＶ２Ｘメッセージ送信であることを他のＶ２Ｘ端末に知らせるようにするか、そして／あるいは、（Ｃ）端末実現で（任意の）値に設定させることもできる。一例として、（Ｂ）そして／あるいは（Ｃ）の規則は、「モード１」（そして／あるいは、「モード１サイドリンクＳＰＳ」）関連資源プール（ｒｅｓｏｕｒｃｅ  ｐｏｏｌ）が他のモード（例えば、「モード２」）のものと相違するように設定（／シグナリング）された場合にのみ（限定的に）適用されることもできる。
【０２２９】
前述した提案方式に対する一例も本発明の実現方法のうち、１つとして含まれることができるので、一種の提案方式とみなされ得ることは明らかな事実である。また、前述した提案方式等は、独立的に実現されることができるが、一部提案方式等の組み合わせ（あるいは、併合）形態で実現されることもできる。
【０２３０】
本発明では、説明の都合上、３ＧＰＰ  ＬＴＥ／ＬＴＥ−Ａシステムに基づいて提案方式を説明したが、提案方式が適用されるシステムの範囲は、３ＧＰＰ  ＬＴＥ／ＬＴＥ−Ａシステムの他に、他のシステムへも拡張可能である。
【０２３１】
本発明の提案方式等は、Ｄ２Ｄ通信のためにも拡張適用可能である。ここで、Ｄ２Ｄ通信は、端末が他の端末と直接無線チャネルを用いて通信することを意味する。端末は、ユーザの端末でありうるし、基地局のようなネットワーク装備が端末間の通信方式によって信号を送受信する場合にも一種の端末としてみなされることができる。
【０２３２】
本発明の提案方式等は、モード２  Ｖ２Ｘ動作（そして／あるいは、モード１（サイドリンク動的スケジューリング、そして／あるいはサイドリンクＳＰＳ、そして／あるいは上りリンクＳＰＳ）Ｖ２Ｘ動作）にのみ限定的に適用されることもできる。
【０２３３】
本発明の提案方式等は、ＰＳＣＣＨと（連動された）ＰＳＳＣＨとが同一サブフレーム上の隣接資源ブロックに位置しない（あるいは、位置する）場合にのみ限定的に適用されることもできる。
【０２３４】
また、本発明の提案方式等は、Ｖ２Ｖモード１（／モード２）動的スケジューリング動作だけでなく、Ｖ２Ｖモード１（／モード２）半静的スケジューリング（ＳＰＳ）動作（そして／あるいは、Ｖ２Ｘモード１（／モード２）動的スケジューリング動作、そして／あるいは、Ｖ２Ｘモード１（／モード２）ＳＰＳ動作）でも拡張適用が可能である。
【０２３５】
本発明において「モード１」（あるいは、「モード２」）という用語は、Ｖ２Ｘ通信関連「モード３」（あるいは、「モード４」）と解釈（／代替）されることもできる。
【０２３６】
本発明の（全てのあるいは一部）提案技術等は、Ｖ２Ｘ通信関連ＤＣＩ、そして／あるいは、ＳＣＩに対して拡張適用されることもできる。
【０２３７】
図１７は、本発明の実施形態が実現される装置を示したブロック図である。
【０２３８】
図１７に示すように、装置１１００は、プロセッサ１１１０、メモリ１１２０、及びＲＦ部（ｒａｄｉｏ  ｆｒｅｑｕｅｎｃｙ  ｕｎｉｔ、１１３０）を備える。装置１１００は、基地局または中継局でありうるし、端末でありうる。プロセッサ１１１０は、提案された機能、過程、及び／又は方法を実現する。
【０２３９】
ＲＦ部１１３０は、プロセッサ１１１０と連結されて、無線信号を送信及び受信する。メモリ１１２０は、プロセッサ１１１０及び／又はＲＦ部１１３０の駆動に必要な情報を格納することができる。
【０２４０】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段によりプロセッサと連結されることができる。
【図１】
2019534596.tif 000004
【図２】
2019534596.tif 000005
【図３】
2019534596.tif 000006
【図４】
2019534596.tif 000007
【図５（ａ）】
2019534596.tif 000008
【図５（ｂ）】
2019534596.tif 000009
【図５（ｃ）】
2019534596.tif 000010
【図５（ｄ）】
2019534596.tif 000011
【図６】
2019534596.tif 000012
【図７】
2019534596.tif 000013
【図８】
2019534596.tif 000014
【図９】
2019534596.tif 000015
【図１０】
2019534596.tif 000016
【図１１】
2019534596.tif 000017
【図１２】
2019534596.tif 000018
【図１３】
2019534596.tif 000019
【図１４】
2019534596.tif 000020
【図１５】
2019534596.tif 000021
【図１６】
2019534596.tif 000022
【図１７】
2019534596.tif 000023
【国際調査報告】
2019534596.tif 000024
2019534596.tif 000025
2019534596.tif 000026
2019534596.tif 000027